(57)【要約】【課題】ミシンにより縫製される各種模様に香りを容易に付与することが可能なミシン及びミシンプログラムを提供すること。【解決手段】複数種類の模様の縫製する機能を備えたミシンにおいて、模様が縫製される部分である加工布の被縫製部、上糸及び下糸の少なくともいずれか１つに１種類又は複数種類の芳香剤を付与する芳香剤付与手段を設ける。そして、模様を縫製するための模様縫製データ及び、その模様縫製データに基づき縫製される模様の属性又は特徴を示す固有データの少なくともいずれかに基づき、模様に付与する芳香剤の種類とその付与量とを設定する（Ｓ１０５，Ｓ１１５）。続いて、その設定に従って、芳香剤付与手段から吐出される芳香剤の種類及びその付与量を制御する（Ｓ１６３）。【選択図】図２０
2008272037.tif 000002
【特許請求の範囲】
【請求項１】
複数種類の模様の縫製が可能なミシンにおいて、
前記模様が縫製される部分である加工布の被縫製部、上糸及び下糸の少なくともいずれか１つに１種類又は複数種類の芳香剤を付与する芳香剤付与手段と、
前記模様を縫製するための模様縫製データ及び、当該模様縫製データに基づき縫製される前記模様の属性又は特徴を示す固有データの少なくともいずれかに応じて前記芳香剤付与手段を制御する芳香剤付与制御手段と
を備えたことを特徴とするミシン。
【請求項２】
前記模様は刺繍模様であることを特徴とする請求項１に記載のミシン。
【請求項３】
前記刺繍模様は、１又は複数の部品模様を備え、
前記芳香剤付与制御手段は、前記模様を縫製するための模様縫製データ及び、当該模様縫製データに基づき縫製される前記模様の属性又は特徴を示す固有データの少なくともいずれかに応じて、前記部品模様ごとに前記芳香剤付与手段を制御することを特徴とする請求項２に記載のミシン。
【請求項４】
前記芳香剤付与手段は、前記芳香剤を吐出させる吐出手段と、
前記模様縫製データ及び当該模様縫製データに付随する前記固有データの少なくともいずれかに応じて、前記被縫製部、前記上糸及び前記下糸の少なくともいずれか１つに付与する前記芳香剤を選択芳香剤として選択する第１芳香剤選択手段とを備え、
前記芳香剤付与制御手段は、前記模様縫製データ及び当該模様縫製データに付随する前記固有データの少なくともいずれかと、第１芳香剤選択手段により選択された前記選択芳香剤とに応じて、前記吐出手段により吐出させる当該選択芳香剤の単位時間当たりの吐出量及び吐出時間の少なくともいずれかを制御することを特徴とする請求項１乃至３のいずれかに記載のミシン。
【請求項５】
前記芳香剤付与手段は、前記芳香剤を吐出させる吐出手段と、
複数種類の前記芳香剤の中から、前記模様縫製データ及び当該模様縫製データに付随する前記固有データの少なくともいずれかに対応する芳香剤を前記選択芳香剤として選択する第２芳香剤選択手段とを備え、
前記芳香剤付与制御手段は、前記模様縫製データ及び当該模様縫製データに付随する前記固有データの少なくともいずれかと、前記第２芳香剤選択手段により選択された前記選択芳香剤とに応じて、前記吐出手段により吐出させる当該選択芳香剤の単位時間当たりの吐出量及び吐出時間の少なくともいずれかを制御することを特徴とする請求項１乃至４のいずれかに記載のミシン。
【請求項６】
前記選択芳香剤の付与量を設定する付与量設定手段を備え、
前記芳香剤付与制御手段は、前記模様縫製データ及び当該模様縫製データに付随する前記固有データの少なくともいずれかと、前記付与量設定手段により設定された前記付与量とに応じて、前記吐出手段により吐出させる前記選択芳香剤の単位時間当たりの吐出量及び吐出時間の少なくともいずれかを制御することを特徴とする請求項４又は５に記載のミシン。
【請求項７】
前記選択芳香剤が複数種類の前記芳香剤である場合に、当該芳香剤を所定の割合で調合する調合手段を備え、
前記芳香剤付与制御手段は、前記調合手段により調合された前記選択芳香剤を前記吐出手段により吐出させる際の単位時間当たりの吐出量及び吐出時間の少なくともいずれかを制御することを特徴とする請求項４乃至６のいずれかに記載のミシン。
【請求項８】
前記芳香剤付与制御手段は、前記模様の縫製中に、前記吐出手段により吐出させる前記選択芳香剤の単位時間当たりの吐出量及び吐出時間の少なくともいずれかを制御することを特徴とする請求項４乃至７のいずれかに記載のミシン。
【請求項９】
前記芳香剤は前記ミシン本体又は前記芳香剤付与手段に着脱可能なカートリッジに収納されていることを特徴とする請求項１乃至８のいずれかに記載のミシン。
【請求項１０】
請求項１乃至９のいずれかに記載のミシンの各種処理手段としてコンピュータを機能させるためのミシンプログラム。
【発明の詳細な説明】
【技術分野】
【０００１】
本発明は、ミシン及びミシンプログラムに関し、詳細には、模様に芳香剤を付与する機能を備えたミシン及びミシンプログラムに関する。
【背景技術】
【０００２】
従来より、刺繍模様、文字模様、実用模様等の各種模様を縫製するための模様縫製データが記憶された内蔵ＲＯＭや外部記憶ディスク等の記憶手段から、ユーザの指示に基づき選択された模様の模様縫製データを記憶装置より読み込んで、刺繍枠に保持された布に対して模様を縫製するミシンが知られている。これらのミシンにより縫製された模様に、さらなる付加価値を付与するために、模様に香りを付与したいという要望がある。
【０００３】
そこで、例えば、刺繍の土台（基布）の上に芳香剤を載せ、その上に置かれた通気性被覆材を芳香剤の回りにおいて刺繍で止めるとともに、通気性被覆材の上に刺繍の模様を縫製することによって、土台と通気性被覆材との間に芳香剤を封じ込んだ芳香性刺繍が提案されている（例えば、特許文献１参照）。この芳香性刺繍によれば、模様を視覚的だけでなく、嗅覚的にも楽しむことができる。
【特許文献１】実用新案登録第３０５４８４５号公報
【発明の開示】
【発明が解決しようとする課題】
【０００４】
しかしながら、従来提案されている芳香性刺繍では、模様により覆い隠されない通気性被覆材は模様の美観に影響を及ぼす他、芳香剤や通気性被覆材を配置する作業が煩雑であるという問題があった。また、予め香りが付いた糸又は加工布を用いて模様を縫製することも考えられるが、使用する糸や加工布によって香りが決まるため、所望の模様に所望の香りを付与するのは困難であった。
【０００５】
本発明は、上述の問題点を解決するためになされたものであり、ミシンにより縫製される各種模様に香りを容易に付与することが可能なミシン及びミシンプログラムを提供することを目的とする。
【課題を解決するための手段】
【０００６】
上記課題を解決するため、請求項１に係る発明のミシンは、複数種類の模様の縫製が可能なミシンにおいて、前記模様が縫製される部分である加工布の被縫製部、上糸及び下糸の少なくともいずれか１つに１種類又は複数種類の芳香剤を付与する芳香剤付与手段と、前記模様を縫製するための模様縫製データ及び、当該模様縫製データに基づき縫製される前記模様の属性又は特徴を示す固有データの少なくともいずれかに応じて前記芳香剤付与手段を制御する芳香剤付与制御手段とを備えている。
【０００７】
また、請求項２に係る発明のミシンは、請求項１に記載の発明の構成に加え、前記模様は刺繍模様であることを特徴とする。
【０００８】
また、請求項３に係る発明のミシンは、請求項２に記載の発明の構成に加え、前記刺繍模様は、１又は複数の部品模様を備え、前記芳香剤付与制御手段は、前記模様を縫製するための模様縫製データ及び、当該模様縫製データに基づき縫製される前記模様の属性又は特徴を示す固有データの少なくともいずれかに応じて、前記部品模様ごとに前記芳香剤付与手段を制御することを特徴とする。
【０００９】
また、請求項４に係る発明のミシンは、請求項１乃至３のいずれかに記載の発明の構成に加え、前記芳香剤付与手段は、前記芳香剤を吐出させる吐出手段と、前記模様縫製データ及び当該模様縫製データに付随する前記固有データの少なくともいずれかに応じて、前記被縫製部、前記上糸及び前記下糸の少なくともいずれか１つに付与する前記芳香剤を選択芳香剤として選択する第１芳香剤選択手段とを備え、前記芳香剤付与制御手段は、前記模様縫製データ及び当該模様縫製データに付随する前記固有データの少なくともいずれかと、第１芳香剤選択手段により選択された前記選択芳香剤とに応じて、前記吐出手段により吐出させる当該選択芳香剤の単位時間当たりの吐出量及び吐出時間の少なくともいずれかを制御することを特徴とする。
【００１０】
また、請求項５に係る発明のミシンは、請求項１乃至４のいずれかに記載の発明の構成に加え、前記芳香剤付与手段は、前記芳香剤を吐出させる吐出手段と、複数種類の前記芳香剤の中から、前記模様縫製データ及び当該模様縫製データに付随する前記固有データの少なくともいずれかに対応する芳香剤を前記選択芳香剤として選択する第２芳香剤選択手段とを備え、前記芳香剤付与制御手段は、前記模様縫製データ及び当該模様縫製データに付随する前記固有データの少なくともいずれかと、前記第２芳香剤選択手段により選択された前記選択芳香剤とに応じて、前記吐出手段により吐出させる当該選択芳香剤の単位時間当たりの吐出量及び吐出時間の少なくともいずれかを制御することを特徴とする。
【００１１】
また、請求項６に係る発明のミシンは、請求項４又は５に記載の発明の構成に加え、前記選択芳香剤の付与量を設定する付与量設定手段を備え、前記芳香剤付与制御手段は、前記模様縫製データ及び当該模様縫製データに付随する前記固有データの少なくともいずれかと、前記付与量設定手段により設定された前記付与量とに応じて、前記吐出手段により吐出させる前記選択芳香剤の単位時間当たりの吐出量及び吐出時間の少なくともいずれかを制御することを特徴とする。
【００１２】
また、請求項７に係る発明のミシンは、請求項４乃至６のいずれかに記載の発明の構成に加え、前記選択芳香剤が複数種類の前記芳香剤である場合に、当該芳香剤を所定の割合で調合する調合手段を備え、前記芳香剤付与制御手段は、前記調合手段により調合された前記選択芳香剤を前記吐出手段により吐出させる際の単位時間当たりの吐出量及び吐出時間の少なくともいずれかを制御することを特徴とする。
【００１３】
また、請求項８に係る発明のミシンは、請求項４乃至７のいずれかに記載の発明の構成に加え、前記芳香剤付与制御手段は、前記模様の縫製中に、前記吐出手段により吐出させる前記選択芳香剤の単位時間当たりの吐出量及び吐出時間の少なくともいずれかを制御することを特徴とする。
【００１４】
また、請求項９に係る発明のミシンは、請求項１乃至８のいずれかに記載の発明の構成に加え、前記芳香剤は前記ミシン本体又は前記芳香剤付与手段に着脱可能なカートリッジに収納されていることを特徴とする。
【００１５】
また、請求項１０に係る発明のミシンプログラムは、コンピュータに実行させることにより請求項１乃至９いずれかに記載のミシンの各種処理手段としての作用効果を奏することができる。
【発明の効果】
【００１６】
請求項１に係る発明のミシンによれば、模様縫製データ及びその模様縫製データに付随する固有データの少なくともいずれかに応じて、模様が縫製される部分である加工布の被縫製部、上糸及び、下糸の少なくともいずれか１つに１種類又は複数種類の芳香剤を付与するようにしている。このため、糸に芳香剤が付与された場合には、模様のうちその糸を用いて縫製した部分に芳香剤を容易に付与することができる。また、被縫製部に芳香剤が付与された場合には、その加工布に模様を縫製することにより、被縫製部を覆う模様に容易に芳香剤を付与することができる。
【００１７】
また、請求項２に係る発明のミシンによれば、請求項１に記載の発明の効果に加え、芳香剤が付与された刺繍模様を得ることができる。また、被縫製部に芳香剤が付与された場合には、その加工布に刺繍模様を縫製することにより、被縫製部を刺繍模様の縫目により覆い隠すことができる。このため、芳香剤が刺繍模様の仕上がりに影響を与えることなく、刺繍模様に芳香剤を付与することができる。
【００１８】
また、請求項３に係る発明のミシンによれば、請求項２に記載の発明の効果に加え、模様が１又は複数の部品模様を備える場合、部品模様ごとに芳香剤が付与されるので、部品模様ごとに適した芳香剤を付与させることが可能である。
【００１９】
また、請求項４に係る発明のミシンによれば、請求項１乃至３のいずれかに記載の発明の効果に加え、模様縫製データ及びその模様縫製データに付随する固有データの少なくともいずれかに応じて、芳香剤を選択芳香剤として選択し、吐出手段から吐出される選択芳香剤の吐出量及び吐出時間のいずれかを制御している。このため、模様に付与される芳香剤の種類と付与量とを適切に制御することができる。
【００２０】
また、請求項５に係る発明のミシンによれば、請求項１乃至４のいずれかに記載の発明の効果に加え、複数種類の芳香剤の中から、被縫製部、上糸及び下糸の少なくともいずれか１つに付与する芳香剤を選択する第２芳香剤選択手段を備えているので、被縫製部又は上糸の少なくともいずれか１つに付与する選択芳香剤として、ユーザの嗜好に応じて好みの芳香剤を選択することができる。
【００２１】
また、請求項６に係る発明のミシンによれば、請求項４又は５に記載の発明の効果に加え、芳香剤の付与量を設定する付与量設定手段を備えているので、被縫製部、上糸及び下糸の少なくともいずれか１つに付与する選択芳香剤の付与量をユーザの嗜好に応じて適切に設定し、その付与量だけ選択芳香剤を付与することができる。
【００２２】
また、請求項７に係る発明のミシンによれば、請求項４乃至６のいずれかに記載の発明の効果に加え、選択芳香剤が複数種類の芳香剤である場合に、それらの芳香剤を所定の割合で調合する調合手段を備えているので、複数種類の芳香剤を調合した所望の香りの芳香剤が付与された模様を容易に得ることができる。
【００２３】
また、請求項８に係る発明のミシンによれば、請求項４乃至７のいずれかに記載の発明の効果に加え、刺繍縫製中に芳香剤を被縫製部、上糸及び下糸の少なくともいずれか１つに付与しているので、模様の縫製と、模様に芳香剤を付与する作業とを同時に行うことができる。また、模様を縫製する際には加工布が移動するため、模様に付与された芳香剤が揮発しやすくなり、縫製作業中にも芳香剤の香りを楽しむことができる。
【００２４】
また、請求項９に係る発明のミシンによれば、請求項１乃至８のいずれかに記載の発明の効果に加え、芳香剤はミシン本体に着脱可能なカートリッジに収納されているので、芳香剤の装填や交換を容易に行うことができる。
【００２５】
また、請求項１０に係る発明のミシンプログラムによれば、コンピュータに実行させることにより請求項１乃至９のいずれかに記載のミシンの各種処理手段としての作用効果を奏することができる。
【発明を実施するための最良の形態】
【００２６】
以下、本発明を具体化した第１及び第２の実施形態のミシンについて、図面を参照して順に説明する。第１及び第２の実施形態は、加工布を挟持する刺繍枠を備え、上下動する縫針に対して相対的に加工布を移動して加工布に縫目を形成するミシン１に本発明を適用した場合の一例である。最初に、本実施形態に係るミシン１の物理的構成及び電気的構成を説明する。
【００２７】
まず、第１及び第２の実施形態に共通するミシン１の物理的構成について、図１及び図２を参照して説明する。図１は、刺繍枠３４を備えるミシン１の斜視図であり、図２は、ミシン１が備える調香器５０を拡大した図である。尚、図１において、紙面の手前側を前方、紙面の奥行き側を後方と言い、紙面の左右方向を左右方向と言う。
【００２８】
図１に示すように、ミシン１は、左右方向に長いミシンベッド１１と、ミシンベッド１１の右端部から上方へ立設された脚柱部１２と、脚柱部１２の上端から図１における左方へ延びるアーム部１３とを有するミシン本体２を構成の主体とする。
【００２９】
ミシンベッド１１には、ミシンベッド１１上面に配設された針板（図示せず）と、この針板の下側に設けられ、縫製を施そうとする加工布５を所定の送り量で移送するための送り歯（図示せず）と、この送り歯を駆動する布送り機構（図示せず）と、送り量を調整する送り量調整用パルスモータ７８（図３参照）と、釜機構（図示せず）とが設けられている。
【００３０】
またミシンベッド１１には、加工布５を挟持する刺繍枠３４が配置されている。刺繍枠３４の内周３５の内側の領域は、刺繍模様等の模様の縫目が形成可能な刺繍領域となっている。この刺繍枠３４は、刺繍枠移動装置３６により装置固有のＸＹ座標系に基づく任意の位置に移動するように構成されている。そして、刺繍枠移動装置３６が備えるＸ軸モータ８１（図３参照）及びＹ軸モータ８２（図３参照）を駆動させて刺繍枠３４を自在に移動させながら針棒４０や釜機構（図示せず）を駆動させることにより、刺繍枠３４に挟持された加工布５に対して所定の縫目や所定の刺繍模様等の模様を形成する模様形成動作が実行される。尚、刺繍枠３４の長手方向を、ＸＹ座標系のＹ軸方向とし、刺繍枠３４の短手方向をＸＹ座標系のＸ軸方向とする。また、刺繍枠移動装置３６は、ミシンベッド１１に対して着脱可能に装着されており、送り歯により加工布５を移動させながら、刺繍模様ではない通常模様の縫製を行う際には、この刺繍枠移動装置３６をミシンベッド１１から取外して通常縫製を行う。
【００３１】
脚柱部１２の前面には、縦長の長方形形状を有する液晶ディスプレイ１５が設けられている。この液晶ディスプレイ１５には、種々の模様を設定・編集したり、縫製作業を制御したりするのに必要な各種のコマンドを実行させるコマンド名及びイラストが表示される他、縫製に関わる各種設定値や各種のメッセージ等が表示される。
【００３２】
この液晶ディスプレイ１５の前面には、複数の模様の模様名や各種の機能を実行させる機能名、各種設定画面における数値設定等の表示位置の各々に対応するようにタッチパネル２６が設けられている。このため、これらの液晶ディスプレイ１５に表示された画面の模様表示部や設定部に対応するタッチパネル２６を、指や専用のタッチペンを用いて押圧操作することにより、縫製に供する模様の選択や機能の指示や数値設定等を実行することができる（以下、この操作を「パネル操作」と言う。）。
【００３３】
アーム部１３には、その上部側を開閉する開閉カバー１６が取り付けられている。この開閉カバー１６はアーム部１３の長手方向に設けられ、アーム部１３の上後端部に左右方向向きの軸回りに開閉可能に軸支されている。この開閉カバー１６を開けた状態の、アーム部１３の上部中央近傍には、ミシン１に糸を供給する糸駒（図示せず）を収容するための凹部である糸収容部（図示せず）が設けられている。この糸収容部の脚柱部１２側の内壁面には、頭部１４に向かって突出し、糸駒を装着するための糸立棒（図示せず）が配設され、糸駒は、糸駒が備える挿入孔が糸立棒に挿入されてミシン１に装着される。この糸駒から延びる上糸２０（図２参照）は、図示しないが、頭部１４に設けられた糸張力を調整する糸調子器及び糸取バネ、上下に往復駆動して上糸を引き上げる天秤等の複数の糸掛部を経由して、針棒４０（図２参照）に装着された縫針２９に供給される。
【００３４】
このアーム部１３の前面下部には、ミシン１の運転を開始及び停止する、即ち、縫製開始及び停止を指示する縫製開始・停止スイッチ２１，を始め、各種の縫製動作を指示するための複数の操作キー２２が設けられている。
【００３５】
また、アーム部１３には、ミシンモータ７９（図３参照）により回転駆動され、アーム部１３の長手方向に延設されるミシン主軸（図示せず）が設けられている。アーム部１３の左端部に設けられた頭部１４には、縫針２９が装着された針棒４０（図２参照）を上下方向に駆動させる針棒上下動機構（図示せず）と、この針棒４０を左右方向に揺動させる針振り用パルスモータ８０（図３参照）を動力源とする針振り機構（図示せず）と、天秤機構（図示せず）とが設けられている。また、針棒４０の後ろ側には、押え棒３１（図２参照）が配設され、この押え棒３１の下端部には、加工布５を押圧するための押え足３０が装着されている。
【００３６】
次に、頭部１４に設けられた調香器５０の構成について、図１及び図２を参照して説明する。調香器５０は、加工布５又は上糸２０に常温で液体の芳香剤を吐出するための装置である。調香器５０には、上部に開口を有し、芳香剤が充填されたカートリッジ５３１〜５３６（以下、カートリッジ５３１〜５３６を「カートリッジ５３」と総称する。）を着脱自在に装着するカートリッジホルダ５４が備えられている。このカートリッジホルダ５４には、上下方向に長い略直方体形状のカートリッジ５３がミシン１の前後方向に６つ装着される。またカートリッジホルダ５４の底部には、ミシン１の前後方向に長い直方体形状の調合タンク５６が設けられている。
【００３７】
調合タンク５６と各カートリッジ５３との間には、フレキシブルチューブからなるカートリッジ側管路（図示せず）が配設されている。そして、カートリッジ側管路の一端はカートリッジ５３の底部と接続されており、カートリッジ側管路の他端は調合タンク５６の上部と接続されている。前述のようにカートリッジホルダ５４には６つのカートリッジ５３が装着可能であり、各カートリッジに対してカートリッジ側管路が設けられているため、調合タンク５６には、合計６つのカートリッジ側管路が接続されることになる。また、各カートリッジ側管路の途中にはカートリッジ側管路開閉用電磁弁９６（図３参照）が設けられる。そして、カートリッジ側管路開閉用電磁弁９６の開閉により、カートリッジ５３から調合タンク５６へ供給される芳香剤の量が調整される。
【００３８】
また、押え棒３１の後方には、下端に開口を有し、調合タンク５６に装填されている芳香剤を吐出する筒状の吐出ヘッド５２が吐出ヘッドホルダ５５により保持されている。この吐出ヘッドホルダ５５は、詳しくは図示しないが、その設置位置をミシン１の左右方向、上下方向に移動可能であり、またミシン１の前後方向に回動可能である。また、その傾きを傾斜させることも可能である。したがって、吐出ヘッドホルダ５５の位置を適宜調整することにより、芳香剤を吐出する吐出ヘッド５２の先端部（吐出部）の位置を上糸２０又は加工布５に近接する位置に調整することが可能となっている。
【００３９】
また、加工布５の布厚の変化に応じて、吐出ヘッド５２の先端部の位置を適宜調整できる。この吐出ヘッド５２と調合タンク５６との間には、フレキシブルチューブからなるヘッド側管路５１が配設されている。そして、ヘッド側管路５１の一端は調合タンク５６の底部と接続されており、ヘッド側管路５１の他端は吐出ヘッド５２の上部と接続されている。このヘッド側管路５１の途中には、吐出ヘッド５２に供給する芳香剤の量を調節するためのヘッド側管路開閉用電磁弁９７（図３参照）が設けられている。さらに、調香器５０にはカートリッジ５３内の芳香剤の残量を検出するためのセンサ２７（図３参照）が設けられている。
【００４０】
尚、カートリッジ５３に装填される芳香剤としては、常温で液体の天然精油（エッセンシャルオイル）、天然精油をアルコール等で希釈したものや合成香料等を加えたオイル（所謂フレグランスオイル、ポプリオイル、アロマオイル）、合成精油の他、芳香蒸留水（アロマウォーター）等の天然香料、合成香料等が用いられる。これらは１種類で用いる場合の他、２種以上を適宜組み合わせて用いるようにしてもよい。ただし、複数種類の芳香剤を調合する場合には、各芳香剤が互いに混じり合うものを用いることが好ましい。
【００４１】
次に、第１及び第２の実施形態に共通するミシン１の電気的構成について、図３及び図４を参照して説明する。図３は、ミシン１の電気的構成を示す概念図である。図４は、ＲＡＭ６３の記憶領域を説明するための概念図である。図３に示すように、このミシン１の制御部６０は、ＣＰＵ６１，ＲＯＭ６２，ＲＡＭ６３，ＥＥＰＲＯＭ６４，入力インターフェイス６５，出力インターフェイス６６，コネクタ３８等で構成され、これらはバス６７により相互に接続されている。そして、入力インターフェイス６５には、前述の縫製開始・停止スイッチ２１（図１参照）タッチパネル２６（図１参照）及びセンサ２７等が接続されている。一方、出力インターフェイス６６には、送り歯による加工布の送り量を調整するための送り量調整用パルスモータ７８，ミシン主軸（図示せず）を回転駆動させるミシンモータ７９，針棒４０（図２参照）を揺動駆動する針振り用パルスモータ８０がそれぞれ接続されている。出力インターフェイス６６には、押え足３０（図１及び図２参照）を上下に移動させる押え足昇降パルスモータ４３，液晶ディスプレイ１５（図１参照）、刺繍枠３４（図１参照）を移動させるＸ軸モータ８１及びＹ軸モータ８２，カートリッジ側管路開閉用電磁弁９６及びヘッド側管路開閉用電磁弁９７がそれぞれ駆動回路７１〜７７，９１及び９２を介して電気的に接続されている。また、コネクタ３８には、ＣＤ−ＲＯＭドライブ等の外部記憶装置３９を接続することができる。以下、ミシン１の制御部６０を構成する、ＣＰＵ６１，ＲＯＭ６２，ＲＡＭ６３，ＥＥＰＲＯＭ６４について詳述する。
【００４２】
ＣＰＵ６１は、ミシン１の主制御を司り、ＲＯＭ６２に記憶された縫製制御プログラムに従って、縫製を実行するための各種演算及び処理を実行する。また、ＲＯＭ６２に記憶されたミシンプログラムに従って各種演算及び処理を実行する。尚、ミシンプログラムはメモリーカード等の外部記憶装置に記憶されていてもよく、その場合は、当該プログラムをＲＡＭ６３上に読み込んで実行する。
【００４３】
ＲＯＭ６２は、各種の駆動機構を駆動制御するとともに、各種模様を選択する模様選択制御や各種の表示制御を含む縫製制御プログラムが記憶された縫製制御プログラム記憶領域が設けられている。さらにＲＯＭ６２は、後述する本願特有のプログラムであり、上糸２０又は加工布５の被縫製部に芳香剤を付与しながら模様を縫製するミシンプログラムが記憶されたミシンプログラム記憶領域や、ミシンプログラム実行時に参照される各種設定を記憶した設定記憶領域等が設けられている。尚、これらの各種のプログラムや設定の一部又は全部は、ＥＥＰＲＯＭ６４に記憶されていてもよいし、外部記憶装置に記憶されている模様縫製データをミシン１に読み込んでもよい。
【００４４】
ＲＡＭ６３は、任意に読み書き可能な記憶素子であり、ＲＯＭ６２から読み出された各種のプログラムや、ＥＥＰＲＯＭ６４から読み出された各種設定値、ＣＰＵ６１が演算処理した演算結果を収容する各種記憶領域が必要に応じて設けられている。このＲＡＭ６３の記憶領域の詳細について、図４を参照して説明する。図４に示すように、ＲＡＭ６３には、プログラム記憶領域６３１，設定記憶領域６３２，模様縫製データ記憶領域６３３，フラグ記憶領域６３４，縫製条件記憶領域６３５，香りデータ記憶領域６３６，画像表示データ記憶領域６３７，作業領域６３８及び図示外のその他の記憶領域が設けられている。プログラム記憶領域６３１は、ＲＯＭ６２から読み出された各種プログラムを記憶する記憶領域である。設定記憶領域６３２は、ＲＯＭ６２やＥＥＰＲＯＭ６４等から読み出されたプログラムを実行する際に参照される、設定値やテーブル等各種設定を記憶する記憶領域である。模様縫製データ記憶領域６３３は、各種模様縫製データを記憶する記憶領域であり、フラグ記憶領域６３４はプログラムを実行する際に使用される各種フラグを記憶する記憶領域である。縫製条件記憶領域６３５は、模様を縫製する際の各種縫製条件を記憶する記憶領域であり、香りデータ記憶領域６３６は、調香器５０に備えられたカートリッジ５３１〜５３６の香りデータを記憶する記憶領域である。また画像表示データ記憶領域６３７は、液晶ディスプレイ１５に表示する画面の画像データや表示設定を記憶する記憶領域であり、作業領域６３８は、各種プログラム実行時に各種設定値等を予備的に記憶する記憶領域である。
【００４５】
ＥＥＰＲＯＭ６４は、読み書き可能な記憶素子であり、プログラムを実行する際に参照される各種設定値やテーブル等各種設定を記憶する設定記憶領域が設けられている。
【００４６】
以上のミシン１は、本発明のミシンとしての機能を有するものである。次に、以上のように構成されたミシン１を使用して、上糸２０に芳香剤を付与しながら模様を縫製する第１の実施形態の縫製処理の処理手順について図面を参照して説明する。まずミシン１において実行されるメイン処理を図５〜図９を参照して説明する。続いて、メイン処理において実行される選択芳香剤付与方法設定処理について、図１０〜図１５を参照して説明する。続いて、メイン処理において実行される香り設定処理を、図１６〜図１９を参照して説明する。続いて、メイン処理において実行される芳香剤付与縫製処理について、図２０及び図２１のフローチャートを参照して説明する。尚、図９，図１４，図１８，図２０及び図２１のフローチャートに示す各処理を実行させるプログラムは、ＲＯＭ６２に記憶されており、プログラム実行時にはＲＡＭ６３のプログラム記憶領域６３１に読み込んで、図３に示すＣＰＵ６１が実行する。また、上記処理を実行するために必要な各種情報は、ＲＯＭ６２，ＥＥＰＲＯＭ６４又は外部記憶装置３９から読み出され、ＲＡＭ６３の設定記憶領域６３２に記憶されているものとする。また、液晶ディスプレイ１５に表示されている所定のキーが入力されたか否かの判断は、タッチパネル２６の押下位置と、液晶ディスプレイ１５に表示されている各種キーの表示位置とを比較して判断するものとする。
【００４７】
まず、第１の実施形態のミシン１のメイン処理を、図５〜図９を参照して説明する。図５は、第１の実施形態のミシン１が備える選択芳香剤の付与方法の種類を説明するための説明図であり、図６は、ミシン１により縫製される模様の一例として、刺繍模様２１１を説明するための説明図である。また図７は、刺繍模様２１１を縫製するための模様縫製データの一例を説明するための説明図であり、図８は、選択芳香剤の付与方法として「部分（設定）」又は「部分（カートリッジ）」が選択されている場合の、画面２００を説明するための説明図である。図９は、ミシン１において実行されるメイン処理の流れを示すフローチャートである。
【００４８】
まず、第１の実施形態のミシン１が備える選択芳香剤の付与方法の種類を、図５のテーブル５５０を参照して説明する。第１の実施形態では、上糸に芳香剤を付与しながら模様を縫製する方法の選択芳香剤の付与方法として、図５に示す６種類の選択芳香剤の付与方法がＲＯＭ６２に記憶されている。テーブル５５０には、選択芳香剤の付与方法を区別するためのＩＤ５５１と、選択芳香剤の付与方法５５２とがそれぞれ記憶されている。選択芳香剤の付与方法５５２は、選択芳香剤を付与する対象（範囲）により、模様全体に同一の選択芳香剤を付与する「全体」と、上糸の糸色ごとに定めた選択芳香剤を付与する、即ち、糸色で区別される部品模様ごとに選択芳香剤を付与する「部分」との２種類に区分される。
【００４９】
選択芳香剤の付与方法５５２はさらに、選択芳香剤及びその付与量の決定方法により、「設定」、「カートリッジ」及び「ブレンド」の３種類に区分される。「設定」では、模様縫製データに予め含まれる香りデータに従う。「カートリッジ」では、模様を縫製するための模様縫製データ及び、その模様縫製データに対応する固有データの少なくともいずれかに応じた１種類の芳香剤の種類及びその付与量に従い、模様縫製データに含まれる香りデータを設定する。「ブレンド」では、模様を縫製するための模様縫製データ及び、その模様縫製データに対応する固有データの少なくともいずれかに応じた１又は複数種類の芳香剤、各芳香剤の調合比及び、調合された選択芳香剤の付与量に従い、模様縫製データに含まれる香りデータを設定する。
【００５０】
そして、図５のテーブル５５０に示すように、選択芳香剤を付与する対象と選択芳香剤及びその付与量の決定方法との組合せにより、６種類の選択芳香剤の付与方法が設定されている。尚、第１の実施形態では、説明を簡略化するために、選択芳香剤及びその付与量の決定方法が「設定」である場合には、「カートリッジ」の場合と同様に、模様縫製データにより１種類の芳香剤とその付与量とが指定されるものとする。
【００５１】
次に、ミシン１により縫製される模様の一例として、刺繍模様２１１及び刺繍模様２１１を縫製するための模様縫製データ１８０について、図６及び図７を参照して説明する。図６に示すように、刺繍模様２１１は、薔薇の花と葉とから構成される刺繍模様であり、花を構成する部分６５１は、ピンクに糸色で縫製される部分であり、部分６５２はコイピンクの糸色で縫製される部分である。同様に、葉を構成する部分６５３は、キミドリの糸色で縫製される部分であり、部分６５４はミドリの糸色で縫製される部分である。
【００５２】
図７に示すように、この刺繍模様２１１を縫製するための模様縫製データ１８０には、コマンド１８１とデータ１８２とがそれぞれ縫製順に記憶されている。この模様縫製データ１８０には、選択芳香剤の付与方法として、「全体（設定）」が選択された場合の香りデータとして、刺繍模様全体に付与する芳香剤の種類を指定する全体香りデータ１９０と、その芳香剤の付与量を指定する全体付与量データ１９１とが含まれている。また、模様縫製データ１８０には、選択芳香剤の付与方法として、「部分（設定）」が選択された場合の香りデータとして、上糸の糸色ごとに付与する芳香剤の種類を指定する部分香りデータ１９２，１９４，１９６及び１９８と、それらの芳香剤の付与量を指定する部分付与量データ１９３，１９５，１９７及び１９９とが含まれている。尚、模様縫製データ１８０のうち、模様縫製データ１８４は部分６５１に対応し、模様縫製データ１８５は部分６５２に対応する。同様に、模様縫製データ１８０のうち、模様縫製データ１８６は部分６５３に対応し、模様縫製データ１８７は部分６５４に対応する。また、刺繍模様２１１が縫製された加工布５において、刺繍模様２１１の輪郭に囲まれた領域が、加工布５の被縫製部となる。
【００５３】
この模様縫製データ１８０は、パネル操作により刺繍縫製対象として刺繍模様２１１が選択された場合に、ＲＯＭ６２等からＲＡＭ６３の模様縫製データ記憶領域６３３に読み込まれる。尚、模様縫製データに、上述のような香りデータが含まれていない場合には、その模様縫製データがＲＡＭ６３の模様縫製データ記憶領域６３３に読み込まれる際に、香りデータを記憶する領域が設けられるよういなっている。即ち、模様縫製データ１８０の場合と同様に、模様縫製データの１番目と２番目のデータとして、全体香りデータと、全体付与量データとをこの順に記憶する領域が設けられる。さらに、模様縫製データに含まれる色替えデータの直後にはそれぞれ、部分香りデータと、部分付与量データとをこの順に記憶する領域がそれぞれ設けられる。そして、模様縫製データ記憶領域６３３に読み込まれた模様縫製データは、読み込まれた際に設定されている選択芳香剤の付与方法に応じて、模様縫製データに含まれる香りデータが変更される。この模様縫製データに含まれる香りデータの変更方法は、図１４のフローチャートを参照して後述する選択芳香剤付与方法設定処理のＳ３０の処理と同様である。尚、選択芳香剤の付与方法設定時に必要な情報として、初期の模様縫製データ１８０に含まれる香りデータは、変更の対象となる模様縫製データと関連づけて別途模様縫製データ記憶領域６３３に記憶するようにしている。
【００５４】
次に、図８を参照して、画面２００の表示項目のうち、ミシン１のメイン処理に関わる香り設定キー２７１及び設定キー１４１について説明する。図８の画面２００は、選択芳香剤の付与方法が「部分（設定）」又は「部分（カートリッジ）」である場合に表示される刺繍模様２１１の縫製条件を編集するための画面である。図８に示すように、画面２００の下部には、上糸に付与する選択芳香剤及びその付与量を設定するための画面を表示させる香り設定キー２７１が表示されている。また、画面２００の左下部には、ミシン１による模様の縫製条件を設定する画面を表示する設定キー１４１が表示されている。画面２００に表示されているその他の項目についての説明は後述する。
【００５５】
次に、ミシン１のメイン処理を図９のフローチャートを参照して説明する。図９のフローチャートに示すように、ミシン１の電源がＯＮにされると、まず、初期化処理を実行する（Ｓ１）。この処理では、例えば、ミシン１の動作制御に必要な各種プログラムをＲＯＭ６２等からＲＡＭ６３に読み込む。また、液晶ディスプレイ１５に所定の表示項目を表示する。
【００５６】
次に、ユーザによりいずれかのキー（液晶ディスプレイ１５に表示されている各種キー及びミシン１の前面に設けられている操作キー２２等）が入力されたか否かを判断する（Ｓ２）。キー入力がない場合には（Ｓ２：Ｎｏ）、ユーザによりいずれかのキーが入力されるまで待機する。一方、キー入力が有る場合には（Ｓ２：Ｙｅｓ）、続いて、Ｓ２において入力されたキーが図８に示す設定キー１４１であるか否かを判断する（Ｓ３）。Ｓ２において入力されたキーが設定キー１４１である場合には（Ｓ３：Ｙｅｓ）、続いて、選択芳香剤の付与方法を設定する処理を実行する（Ｓ４）。第１の実施形態では、図５に示すように選択芳香剤を付与する対象（全体、部分）と選択芳香剤及びその付与量の決定方法（設定、カートリッジ、ブレンド）との組合せにより、６種類の選択芳香剤の付与方法が選択可能である。そして、パネル操作により、６種類の選択芳香剤の付与方法のうち、どの付与方法により選択芳香剤を付与するかを設定し、縫製条件記憶領域６３５に記憶するようにしている。この選択芳香剤付与方法設定処理の詳細については、図１０〜図１５を参照して後述する。一方、Ｓ２において入力されたキーが設定キー１４１ではない場合には（Ｓ３：Ｎｏ）、続いて、Ｓ２において入力されたキーが図８に示す香り設定キー２７１であるか否かを判断する（Ｓ５）。
【００５７】
Ｓ２において入力されたキーが香り設定キー２７１である場合には（Ｓ５：Ｙｅｓ）、続いて、パネル操作により選択芳香剤の種類と付与量とを設定する香り設定処理を実行する（Ｓ６）。この香り設定処理の詳細については、図１６〜図１９を参照して後述する。一方、Ｓ２において入力されたキーが香り設定キー２７１ではない場合には（Ｓ５：Ｎｏ）、続いて、Ｓ２において入力されたキーが図１に示す縫製開始・停止スイッチ２１であるか否かを判断する（Ｓ７）。Ｓ２において入力されたキーが縫製開始・停止スイッチ２１である場合には（Ｓ７：Ｙｅｓ）、続いて、ＲＡＭ６３の縫製条件記憶領域６３５を参照して、選択芳香剤の付与対象が「全体」と設定されているか否かを判断する（Ｓ８）。選択芳香剤の付与対象が「全体」と設定されている場合には（Ｓ８：Ｙｅｓ）、続いて、選択芳香剤の付与対象が全体である場合の芳香剤付与縫製処理を実行する（Ｓ９）。選択芳香剤の付与対象が全体である場合の芳香剤付与縫製処理は、図２０に示すフローチャートを参照して後述する。一方、選択芳香剤の付与対象が「全体」と設定されていない場合には（Ｓ８：Ｎｏ）、続いて、選択芳香剤の付与対象が「部分」である場合の芳香剤付与縫製処理を実行する（Ｓ１０）。この選択芳香剤の付与対象が部分である場合の芳香剤付与縫製処理は、図２１に示すフローチャートを参照して後述する。Ｓ７において、Ｓ２において入力されたキーが縫製開始・停止スイッチ２１ではない場合には（Ｓ７：Ｎｏ）、続いて、Ｓ２において入力されたキーに応じてその他の処理を実行する（Ｓ１１）。Ｓ４，Ｓ６，Ｓ９，Ｓ１０又はＳ１１に続いて、Ｓ２に戻り処理を繰り返す。
【００５８】
以上説明したように、ＣＰＵ６１は第１の実施形態のミシン１のメイン処理を実行する。次に、第１の実施形態のミシン１のメイン処理において実行される、選択芳香剤付与方法設定処理について図１０〜図１５を参照して説明する。図１０は、調香器５０に装着されているカートリッジ５３内の芳香剤の種類と、液晶ディスプレイ１５に表示する芳香剤の名前との関係を説明するための説明図であり、図１１は、模様を縫製する際の上糸の糸色と芳香剤との対応関係を説明するための説明図である。また図１２は、選択芳香剤の付与方法として「全体（カートリッジ）」又は「全体（ブレンド）」である場合に参照される、模様が分類されるカテゴリーと芳香剤との対応関係を説明するための説明図である。図１３は、縫製条件を設定するための画面１００を説明するための説明図である。また、図１４は、図９のフローチャートに示すメイン処理において実行される選択芳香剤付与方法設定処理の流れを示すフローチャートであり、図１５は、選択芳香剤の付与方法を設定する状態の画面１００を説明するための説明図である。
【００５９】
まず、調香器５０に装着されているカートリッジ５３１〜５３６と、各カートリッジ５３に装填されている芳香剤の種類及び、液晶ディスプレイ１５に表示する際の表示名の対応関係を、図１０を参照して説明する。図１０に示すテーブル５００には、芳香剤５０２及びその芳香剤を液晶ディスプレイ１５に表示する際の表示名５０３が、カートリッジ５３の設置場所を区別するＩＤ５０１と対応付けて記憶されている。芳香剤５０２は、図１に示す調香器５０が備える６つのカートリッジ５３１〜５３６に装填されている芳香剤の種類を表す。第１の実施形態では、図１０のテーブル５００に示すように、表示名５０３は各芳香剤のイメージを表しているが、これに限定されない。例えば、芳香剤として精油を用いる場合には、オレンジ油、レモン油、ペパーミント油等の精油名を表示名としてもよいし、各精油の効能や産地等を表示名として用いるようにしてもよい。また、表示名に採用される項目は１種類に限定されず、複数種類の項目を組み合わせるようにしてもよい。このテーブル５００は、ＥＥＰＲＯＭ６４の所定の記憶領域に記憶されており、プログラム実行時には香りデータ記憶領域６３６に読み込まれる。このテーブル５００の情報は、ユーザの設定又はカートリッジ５３に設けられたバーコードや無線ＩＣタグの読み取り等により更新される。
【００６０】
次に、模様を縫製する際の上糸の糸色と芳香剤との対応関係を、図１１のテーブル６００を参照して説明する。第１の実施形態では、選択芳香剤の付与方法として、「部分（カートリッジ）」又は「部分（ブレンド）」が選択された場合には、模様縫製データに含まれる上糸の糸色ごとに芳香剤の種類と付与量を設定するようにしている。具体的には、テーブル６００を参照して、模様縫製データ記憶領域６３３に記憶されている模様縫製データに含まれる部分香りデータ及び部分付与量データを変更するようにしている。
【００６１】
図１１に示すように、テーブル６００には、選択芳香剤の付与方法として「部分（カートリッジ）」が選択された場合の芳香剤６０２及びその付与量６０３がそれぞれ糸色名６０１と対応付けられて記憶されている。またテーブル６００には、選択芳香剤の付与方法として「部分（ブレンド）」が選択された場合のブレンド名６０４及びその付与量６０５がそれぞれ糸色名６０１と対応付けられて記憶されている。ブレンド名６０４に対応する複数種類の芳香剤の種類とそれらの調合比は、図示しないが、ＥＥＰＲＯＭ６４の所定の記憶領域に別途記憶されている。このテーブル６００は、ＥＥＰＲＯＭ６４の所定の記憶領域に記憶されており、プログラム実行時にはＲＡＭ６３の設定記憶領域６３２に読み込まれる。尚、第１の実施形態では、上糸の糸色と芳香剤との対応関係が定められていない糸色を用いて縫製する場合、図示しないが、その糸色を「その他の糸色」に分類するようにしている。
【００６２】
次に、模様が分類されているカテゴリーと芳香剤との対応関係を、図１２を参照して説明する。選択芳香剤の付与方法として、「全体（カートリッジ）」又は「全体（ブレンド）」が選択された場合には、模様全体に付与する芳香剤の種類及び付与量を、模様縫製データ又は模様縫製データに付随する固有データのいずれかに基づき設定する。模様縫製データに付随する固有データとしては、例えば、模様名、模様を特徴ごとに分類したカテゴリー、模様の総針数、縫製の所要時間、使用できる刺繍枠の種類等、模様縫製データの属性又は特徴を表す情報が挙げられる。第１の実施形態では、模様を特徴ごとに分類したカテゴリーに基づき、芳香剤の種類と付与量を設定するようにしている。具体的には、テーブル７００を参照して、模様縫製データ記憶領域６３３に記憶されている模様縫製データに含まれる全体香りデータ及び全体付与量データを変更するようにしている。
【００６３】
図１２に示すように、テーブル７００には、選択芳香剤の付与方法として「全体（カートリッジ）」が選択されている場合の芳香剤７０２及びその付与量７０３がそれぞれ、刺繍模様名７０６で表される模様が分類されているカテゴリー７０１と対応付けられて記憶されている。また、テーブル７００には、選択芳香剤の付与方法として「全体（ブレンド）」が選択されている場合のブレンド名７０４で表される複数の芳香剤及び調合された芳香剤の付与量７０５がそれぞれ、カテゴリー７０１と対応付けられて記憶されている。刺繍模様が分類されているカテゴリー７０１は、刺繍模様２１１の模様縫製データに１８０に付随する固有データに含まれている。テーブル７００において、刺繍模様名７０６が薔薇７０７である刺繍模様２１１は、カテゴリー７０１が「花」に分類されている。そして、カテゴリー７０１が「花」で、かつ、選択芳香剤の付与方法が「全体（カートリッジ）」である場合には、選択芳香剤として芳香剤Ａが、その付与量として「３」がそれぞれ定められている。同様に、選択芳香剤の付与方法が「全体（ブレンド）」である場合には、ブレンド名７０４として「花びらブレンド」が、その付与量として「３」がそれぞれ定められている。尚、第１の実施形態では、新たにミシン１に読み込まれた刺繍模様等、カテゴリーが付与されていない場合、図示しないが「その他のカテゴリー」に分類するようにしている。
【００６４】
次に、縫製条件を設定するための画面１００を、図１３を参照して説明する。図１３に示す画面１００は、模様の縫製条件を設定するための画面１００であり、次の操作により表示される。まず、ミシン１の標準設定を設定する画面を表示する設定キー１４１を押下する。続いて、設定対象を選択するキー１０１〜１０３の中から、刺繍模様の設定を行うキー１０３を押下する。さらに、前頁キー１３１又は次頁キー１３２を押下することにより設定画面が順次切り替えられ、画面１００が表示される。この画面１００には、選択キー１１２の操作により選択されている刺繍枠３４を表示する刺繍枠表示欄１１１が設けられている。
【００６５】
また画面１００には、縫製条件を設定する対象を指定する表示モードを、表示モード選択キー１２２の操作に従って順に表示させる表示モード選択欄１２１が設けられている。第１の実施形態では、表示モードとして、「糸番号」、「時間」、「糸色名」及び「香り」の４種類が設定されている。「糸番号」は、縫製に用いる糸の糸番号を設定対象とし、「時間」は、縫製に要する時間を設定対象する。また、「糸色名」は、縫製に用いる糸の糸色名を設定対象とし、「香り」は、模様に付与する選択芳香剤の付与方法を設定対象とする。
【００６６】
また画面１００には、表示モード選択欄１２１に表示されている設定対象の設定を示す詳細選択欄１２５が設けられている。この詳細選択欄１２５に表示されている項目は、詳細選択キー１２６の操作に従って切り替えられる。設定対象として「香り」が選択されている場合には、図５に示す選択芳香剤の付与方法５５２がＩＤ５５１の順に表示される。また画面１００の左下部には、画面１００を閉じる終了キー１５１が表示されている。
【００６７】
次に、図９のフローチャートのＳ４において実行される選択芳香剤付与方法設定処理を図１４に示すフローチャートを参照して説明する。この選択芳香剤付与方法設定処理では、図１３に示す画面１００を操作して、選択芳香剤の付与方法を設定する。図１４のフローチャートに示すように、まず、初期化処理を実行する（Ｓ２０）。この処理において、例えば、設定キー１４１を押下された場合の初期画面を表示するためのデータを画像表示データ記憶領域６３７から読み出し、液晶ディスプレイ１５に表示する。続いて、パネル操作により各種操作スイッチキーのいずれかが押下されたか否かを判断する（Ｓ２２）。いずれのキーも押下されていない場合には（Ｓ２２：Ｎｏ）、キーが押下されるまで待機する。一方、キーが押下された場合には（Ｓ２２：Ｙｅｓ）、続いて、Ｓ２２において検出したキーが表示モード選択キー１２２であるか否かを判断する（Ｓ２４）。Ｓ２２において検出したキーが表示モード選択キー１２２である場合には（Ｓ２４：Ｙｅｓ）、表示モード選択欄１２１と、詳細選択欄１２５とを更新し、表示モード選択キー１２２の操作により選択された表示モードをＲＡＭ６３の画像表示データ記憶領域６３７に記憶する（Ｓ２６）。選択芳香剤の付与方法を設定する際には、まず表示モード選択キー１２２を押下して、表示モード選択欄１２１に「香り」を表示させる。Ｓ２６に続いて、Ｓ２２に戻り処理を繰り返す。一方、Ｓ２２において検出したキーが表示モード選択キー１２２ではない場合には（Ｓ２４：Ｎｏ）、続いて、Ｓ２２において検出したキーが詳細選択キー１２６であるか否かを判断する（Ｓ２８）。
【００６８】
Ｓ２２において検出したキーが詳細選択キー１２６である場合には（Ｓ２８：Ｙｅｓ）、続いて、詳細選択キー１２６の操作により選択された詳細選択をＲＡＭ６３の縫製条件記憶領域６３５に記憶する（Ｓ３０）。選択芳香剤の付与方法を設定する際には、表示モードが「香り」の状態で、詳細選択キー１２６を押下して、図５のテーブル５５０の選択芳香剤の付与方法５５２のうち、所望の選択芳香剤の付与方法を詳細選択欄１２５に表示させる。
【００６９】
既に、縫製の対象となる模様縫製データ１８０がＲＡＭ６３の模様縫製データ記憶領域６３３に読み込まれている場合には、このＳ３０の処理において、詳細選択欄１２５に表示された選択芳香剤の付与方法に応じて、模様縫製データに含まれる香りデータを変更する。図７に示す模様縫製データ１８０に含まれる香りデータを、詳細選択欄１２５に表示された選択芳香剤の付与方法に応じて変更する場合は次のような処理を実行する。詳細選択欄１２５に表示された選択芳香剤の付与方法が、「全体（カートリッジ）」、「全体（ブレンド）」である場合には、全体香りデータ１９０と、全体付与量データ１９１とを、その選択芳香剤の付与方法と、図１２に示すテーブル７００とに応じて変更する。詳細選択欄１２５に表示された選択芳香剤の付与方法が、「全体（設定）」である場合には、全体香りデータ１９０と、全体付与量データ１９１とを、初期の香りデータに変更する。初期の香りデータは前述の通り、変更の対象となる模様縫製データ１８０と関連づけて別途模様縫製データ記憶領域６３３に記憶されている。
【００７０】
同様に、詳細選択欄１２５に表示された選択芳香剤の付与方法が、「部分（カートリッジ）」又は「部分（ブレンド）」である場合には、部分香りデータ１９２，１９４，１９６及び１９８と、部分付与量データ１９３，１９５，１９７及び１９９とを、選択芳香剤の付与方法と図１１に示すテーブル６００とに応じて変更する。詳細選択欄１２５に表示された選択芳香剤の付与方法が、「部分（設定）」である場合には、部分香りデータ１９２，１９４，１９６及び１９８と、部分付与量データ１９３，１９５，１９７及び１９９とを、初期の香りデータに変更する。Ｓ３０に続いて、Ｓ２２に戻り処理を繰り返す。一方、Ｓ２２において検出したキーが詳細選択キー１２６ではない場合には（Ｓ２８：Ｎｏ）、続いて、Ｓ２２において検出したキーが終了キー１５１であるか否かを判断する（Ｓ３２）。
【００７１】
Ｓ２２において検出したキーが終了キー１５１である場合には（Ｓ３２：Ｙｅｓ）、画面１００を閉じ、選択芳香剤付与方法設定処理を終了する。一方、終了キー１５１ではない場合には（Ｓ３２：Ｎｏ）、表示モード選択キー１２２，詳細選択キー１２６及び終了キー１５１以外のキーに対応するその他の処理を実行する（Ｓ３４）。例えば、選択キー１１２が押下された場合には、選択キー１１２により選択された刺繍枠を刺繍枠表示欄１１１に表示させ、選択された刺繍枠の設定を縫製条件記憶領域６３５に記憶する（Ｓ３４）。続いてＳ２２に戻り処理を繰り返す。
【００７２】
以上説明した選択芳香剤付与方法設定処理により、ＣＰＵ６１は刺繍模様２１１に付与する選択芳香剤の付与方法を設定する。この選択芳香剤付与方法設定処理により、選択芳香剤の付与方法として「全体（設定）」を設定した場合には、図１５のような画面１００が表示される。
【００７３】
次に、図９のフローチャートに示すメイン処理のＳ６において実行される香り設定処理を図８，図１６〜図１９を参照して説明する。一例として、選択芳香剤を付与する対象が、上糸の糸色ごとに設定された選択芳香剤を付与する「部分」である場合について説明するが、模様全体に同一の選択芳香剤を付与する「全体」の場合も同様な処理により、選択芳香剤及びその付与量を設定する。図１６は、選択芳香剤の付与方法として「部分（カートリッジ）」が選択されている場合の、香り設定画面３００を説明するための説明図である。図１７は、選択芳香剤の付与方法として「部分（ブレンド）」が選択されている場合の、香り設定画面３０１を説明するための説明図である。図１８は、図９に示すメイン処理において実行される香り設定処理の流れを示すフローチャートである。また図１９は、選択芳香剤の付与方法として「全体（設定）」が選択されている場合の、画面２００を説明するための説明図である。
【００７４】
まず、図８を参照して、画面２００の表示項目の詳細について説明する。図８の画面２００は、画面２００の上部に表示されたキー２０１〜２０４の中から、刺繍模様を組み合わせて縫製するときに押下される編集刺繍キー２０４が選択された場合に表示される。この画面２００の左上部には、編集の対象となる刺繍模様２１１が表示されている。また画面２００の右上部には、刺繍模様２１１の全部又は一部を表示する刺繍模様表示欄２１２と、刺繍模様２１１を縫製する際に用いる糸の糸情報を表示する糸情報表示欄２１３とが設けられている。この糸情報表示欄２１３には、縫製に用いる糸の糸色を表す糸色情報２１４，糸色に対応する選択芳香剤を表示する選択芳香剤表示欄２１５及び選択芳香剤の付与量を表示する付与量表示欄２１６が設けられている。選択芳香剤表示欄２１５に表示される選択芳香剤の表示名は、模様縫製データ記憶領域６３３に記憶されている模様縫製データに含まれる部分香りデータに基づいている。また、付与量表示欄２１６に表示される選択芳香剤の表示名は、模様縫製データ記憶領域６３３に記憶されている模様縫製データに含まれる部分付与量データに基づいている。選択芳香剤の付与方法が「部分（ブレンド）」である場合には、選択芳香剤表示欄２１５にはブレンド名が表示される。尚、模様縫製データに選択芳香剤及びその付与量を指定するデータが含まれていない場合には、選択芳香剤表示欄２１５及び付与量表示欄２１６は空欄とする。
【００７５】
さらに、画面２００の下部には、刺繍模様２１１を編集するため編集ボタンとして、前述の香り設定キー２７１とがそれぞれ表示されている。また、画面２００の左下部には、画面２００を閉じて、直前に表示した画面を表示させる戻るキー２７５が表示されている。
【００７６】
続いて、香り設定キー２７１が選択された場合に表示される香り設定画面３００，３０１の表示項目を、図１６及び図１７を参照して簡単に説明する。図１６に示す香り設定画面３００は、選択芳香剤の付与方法が「部分（カートリッジ）」又は「部分（設定）」である場合に表示される画面である。この香り設定画面３００の左上部には、模様の縫製に用いる上糸の糸色を表示する糸色表示欄３３１と、その上糸に対応する選択芳香剤の表示名５０３（図１０参照）を表示する表示名表示欄３３２とが設けられている。また、香り設定画面３００には、糸情報表示欄２１３に表示されている糸の糸色を順次読み出して、糸色表示欄３３１及び表示名表示欄３３２を更新させるための糸色選択キー３２１が設けられている。またカートリッジ選択欄３５１には、調香器５０に装着されているカートリッジ５３１〜５３６と１対１で対応し、選択芳香剤をカートリッジ単位で選択するためのカートリッジ選択ボタン３４１〜３４６が設けられている。香り設定画面３００の右側部には、選択芳香剤の付与量を表示する付与量表示欄３７２が設けられており、付与量調整キー３７１を操作することにより、選択芳香剤の付与量を１〜５の５段階で設定するようになっている。また、香り設定画面３００の左下部には、香り設定画面３００を閉じて香り設定処理を終了させるための閉じるキー３６１が設けられている。また、香り設定画面３００の右下部には、各糸色に対応する選択芳香剤の種類とその付与量を初期の設定に戻すリセットキー３６２が設けられている。
【００７７】
一方、図１７に示す香り設定画面３０１は、選択芳香剤の付与方法が「部分（ブレンド）」である場合に表示される画面である。この香り設定画面３０１には、前述の香り設定画面３００と同様の、糸色表示欄３３１，表示名表示欄３３２，糸色選択キー３２１，閉じるキー３６１及び、リセットキー３６２がそれぞれ設けられている。さらに香り設定画面３０１には、図１６に示す香り設定画面３００カートリッジ選択欄３５１に替えて、ブレンド設定欄３５２が設けられている。ブレンド設定欄３５２には、調香器５０に装着されているカートリッジ５３１〜５３６（図２参照）に１対１で対応するカートリッジ表示４４１〜４４６を表示するカートリッジ表示欄３５５が設けられている。またブレンド設定欄３５２には、カートリッジ５３１〜５３６に対応する芳香剤の調合比設定欄３５４と、調合比を設定する調合比設定キー３５３とを表示したブレンド設定欄３５２が設けられている。この調合比設定キー３５３を操作することにより操作した調合比設定キー３５３に対応するカートリッジの調合比を設定するようになっている。また、香り設定画面３０１の右側部には、調合比率に従い調合された選択芳香剤の付与量を表示する付与量表示欄４７２が設けられている。この付与量調整キー４７１を操作することにより、調合比に従い調合された選択芳香剤の付与量を１〜５の５段階で設定するようになっている。
【００７８】
次に、香り設定処理を図１８のフローチャートを参照して説明する。まず、初期化処理を実行する（Ｓ２００）。続いて、縫製条件記憶領域６３５を参照して、選択芳香剤及びその付与量の決定方法が、「ブレンド」であるか否かを判断する（Ｓ２０５）。この処理は、選択芳香剤及びその付与量の決定方法に応じた香り設定画面を画面２００の前面に表示させるための処理である。選択芳香剤及びその付与量の決定方法が「ブレンド」ではない場合には（Ｓ２０５：Ｎｏ）、続いて、図１６に示す香り設定画面３００を画面２００の前面に表示させる（Ｓ２１５）。この処理において、芳香剤の種類及び付与量を設定する対象となる模様縫製データを模様縫製データ記憶領域６３３から読み出し、作業領域６３８に記憶する。一方、選択芳香剤及びその付与量の決定方法が「ブレンド」である場合には（Ｓ２０５：Ｙｅｓ）、図１７に示す香り設定画面３０１を画面２００の前面に表示させる（Ｓ２１０）。この処理において、芳香剤の種類及び付与量を設定する対象となる模様縫製データを模様縫製データ記憶領域６３３から読み出し、作業領域６３８に記憶する。また、ブレンド名で表される複数の選択芳香剤とその調合比とを記憶したテーブル（図示せず）を、設定記憶領域６３２から読み出し、作業領域６３８に記憶する。
【００７９】
Ｓ２１０又はＳ２１５に続いて、図１６の香り設定画面３００又は図１７の香り設定画面３０１の各種操作スイッチキーのいずれかが押下されたか否かを判断する（Ｓ２２０）。いずれのキーも押下されていない場合には（Ｓ２２０：Ｎｏ）、いずれかのキーが押下されるまで待機する。一方、いずれかのキーが押下された場合には（Ｓ２２０：Ｙｅｓ）、続いて、Ｓ２２０において入力されたキーが、糸色選択キー３２１であるか否かを判断する（Ｓ２２５）。Ｓ２２０において入力されたキーが糸色選択キー３２１である場合には（Ｓ２２５：Ｙｅｓ）、糸情報表示欄２１３に表示されている糸の糸色並びに、その糸色に対応する選択芳香剤及びその付与量を順次読み出して、画面を更新する（Ｓ２３０）。一方、Ｓ２２０において入力されたキーが、糸色選択キー３２１ではない場合には（Ｓ２２５：Ｎｏ）、続いて、Ｓ２２０において入力されたキーが図１６に示すカートリッジ選択ボタン３４１〜３４６のいずれかであるか否かを判断する（Ｓ２３５）。選択芳香剤及びその付与量の決定方法が「ブレンド」である場合には、図１７の香り設定画面３０１には、カートリッジ選択ボタンが表示されないので、この処理を省略する。Ｓ２２０において入力されたキーがカートリッジ選択ボタン３４１〜３４６のいずれかである場合には（Ｓ２３５：Ｙｅｓ）、糸色表示欄３３１に表示される糸色の上糸に対応する選択芳香剤を、パネル操作により選択されたカートリッジに装填されている芳香剤とし、その設定を作業領域６３８に記憶する（Ｓ２４０）。尚、図１６において、カートリッジ選択ボタン３４１〜３４６には、対応するカートリッジ５３１〜５３６に装填されている芳香剤５０２（図１０参照）が表示しているが、表示名５０３を表示するようにしてもよい。また図１６において、文字に替えてカートリッジを区別する色を表示するようにしてもよい。
【００８０】
Ｓ２２０において入力されたキーが図１６に示すカートリッジ選択ボタン３４１〜３４６のいずれかではない場合には（Ｓ２３５：Ｎｏ）、続いて、Ｓ２２０において入力されたキーが付与量調整キーであるか否かを判断する（Ｓ２４５）。付与量調整キーとは、図１６に示す付与量調整キー３７１又は図１７に示す付与量調整キー４７１である。Ｓ２２０において入力されたキーが付与量調整キーである場合には（Ｓ２４５：Ｙｅｓ）、糸色表示欄３３１に表示される糸色の上糸に付与される選択芳香剤の付与量を更新し、その設定を作業領域６３８に記憶する（Ｓ２５０）。第１の実施形態では、選択芳香剤の吐出時間は縫製時間に固定しているため、この付与量は、選択芳香剤の吐出量を直接又は間接的に定めるものであればよく、例えば、刺繍模様２１１に付与される選択芳香剤の総量を指定してもよい。また例えば、選択芳香剤の単位時間当たりの吐出量を直接指定してもよい。単位時間当たりの吐出量を定める際には、芳香剤の濃度や粘度、ミシンモータ７９の回転速度（単位時間当たりの縫製に用いられる上糸の長さ）等を考慮することが好ましい。第１の実施形態では、一例として、選択芳香剤の単位時間当たりの吐出量を直接指定し、設定された付与量×０．０５ｍｌ／分で選択芳香剤を吐出するものとする。このユーザにより指定される付与量と、選択芳香剤の単位時間当たりの吐出量との関係は、予め定められており、ＲＯＭ６２の所定の記憶領域に記憶されている。
【００８１】
Ｓ２２０において入力されたキーが付与量調整キーではない場合には（Ｓ２４５：Ｎｏ）、続いて、Ｓ２２０において入力されたキーが図１７に示す調合比設定キー３５３であるか否かを判断する（Ｓ２５５）。選択芳香剤及びその付与量の決定方法が「ブレンド」ではない場合には、図１６に示す香り設定画面３００に、調合比設定キーが表示されていないので、この処理を省略する。Ｓ２２０において入力されたキーが図１７に示す調合比設定キー３５３である場合には（Ｓ２５５：Ｙｅｓ）、入力された調合比設定キー３５３に対応するカートリッジの調合比設定欄３５４を更新し、その設定を作業領域６３８に記憶する（Ｓ２６０）。
【００８２】
Ｓ２２０において入力されたキーが図１７に示す調合比設定キー３５３ではない場合には（Ｓ２５５：Ｎｏ）、続いて、Ｓ２２０において入力されたキーが、図１６又は図１７に示すリセットキー３６２であるか否かを判断する（Ｓ２６５）。Ｓ２２０において入力されたキーがリセットキー３６２である場合には（Ｓ２６５：Ｙｅｓ）、初期化処理（Ｓ２００）が実行された時点の設定に戻す（Ｓ２７０）。具体的には、芳香剤の種類及び付与量を設定する対象となる模様縫製データを模様縫製データ記憶領域６３３から読み出し、作業領域６３８に記憶されている模様縫製データを更新する。香り設定画面３０１が表示されている場合（選択芳香剤及びその付与量の決定方法が「ブレンド」である場合）には、さらに、複数の選択芳香剤とそれらの調合比を更新する。具体的には、ブレンド名で表される複数の選択芳香剤とそれらの調合比とを記憶したテーブル（図示せず）を、設定記憶領域６３２から読み出し、作業領域６３８に記憶されているテーブルを更新する。
【００８３】
Ｓ２３０，Ｓ２４０，Ｓ２５０，Ｓ２６０又はＳ２７０に続いて、Ｓ２２０に戻り処理を繰り返す。一方、Ｓ２２０において入力されたキーがリセットキー３６２ではない場合には（Ｓ２６５：Ｙｅｓ）、続いて、ＲＡＭ６３の模様縫製データ記憶領域６３３に記憶されている模様縫製データに含まれる香りデータを、作業領域６３８に記憶されている設定に従って更新する（Ｓ２７５）。香り設定画面３０１が表示されている場合には、さらに、設定記憶領域６３２に記憶されているブレンド名で表される複数の選択芳香剤とその調合比とを記憶したテーブル（図示せず）を、作業領域６３８に記憶されている設定に従って更新する。Ｓ２７５及びＳ２８０の処理は、閉じるキー３６１を押下された場合の処理である。続いて、香り設定画面３００，３０１を閉じ（Ｓ２８０）、図９に示すメイン処理に戻る。
【００８４】
以上のように、選択芳香剤を付与する対象が、上糸の糸色ごとに設定された芳香剤を付与する「部分」である場合の、香り設定処理が実行される。尚、選択芳香剤を付与する対象が、「全体」である場合には、上糸の糸色ごとに選択芳香剤及びその付与量を設定する処理に替えて、刺繍模様等の模様全体に付与する芳香剤を指定する処理が実行される。また、選択芳香剤を付与する対象が、「全体」である場合には、図１９に示す画面２００のように、刺繍模様２１１の全体に付与する選択芳香剤及びその付与量が、全体香り情報表示欄２２１に表示される。この全体香り情報表示欄２２１には、刺繍模様２１１の全体を表す刺繍模様表示欄２２２，刺繍模様に対応する選択芳香剤を表示する選択芳香剤表示欄２２３及び選択芳香剤の付与量を表示する付与量表示欄２２４が設けられている。選択芳香剤表示欄２２３に表示される選択芳香剤の表示名は、模様縫製データ記憶領域６３３に記憶されている模様縫製データに含まれる全体香りデータに基づいている。また、付与量表示欄２２４に表示される選択芳香剤の表示名は、模様縫製データ記憶領域６３３に記憶されている模様縫製データに含まれる全体付与量データに基づいている。一方、糸情報表示欄２１３には、芳香剤を付与する対象が、「部分」である場合のように、糸色に対応する選択芳香剤を表示する選択芳香剤表示欄２１５及び選択芳香剤の付与量を表示する付与量表示欄２１６は設けられていない。尚、模様縫製データに選択芳香剤及びその付与量を指定するデータが含まれていない場合には、選択芳香剤表示欄２２３及び付与量表示欄２２４は空欄とする。
【００８５】
続いて、図９のフローチャートのＳ９及びＳ１０において実行する上糸２０に選択芳香剤を付与しながら縫製を行う芳香剤付与縫製処理について、図２０及び図２１のフローチャートを参照して、選択芳香剤の付与対象が「全体」である場合と、「部分」である場合とに分けて説明する。図２０は、選択芳香剤の付与対象が「全体」である場合の芳香剤付与縫製処理の流れを示すフローチャートであり、図２１は、選択芳香剤の付与対象が「部分」である場合の芳香剤付与縫製処理の流れを示すフローチャートである。
【００８６】
第１の実施形態では、一例として、ミシンモータ７９の回転駆動と同期させて、選択芳香剤を上糸に向けて吐出させることにより、模様を縫製しながら、縫製に供される上糸に芳香剤を付与するものとする。また、別途実行する処理により、各カートリッジ５３に装填されている芳香剤の残量はセンサ２７の出力に基づき監視されている。そして、選択芳香剤として用いる芳香剤が無くなった場合には、別途実行されるプログラムにより一旦芳香剤付与縫製処理を停止し、選択芳香剤を装填したカートリッジ５３の交換を促すものとする。さらに、第１の実施形態では、説明を簡単にするために、調香器５０が備えるカートリッジ側管路（図示せず）調合タンク５６，ヘッド側管路５１，吐出ヘッド５２等のライン上に残存する芳香剤については考慮しない。
【００８７】
まず、選択芳香剤の付与対象が「全体」である場合の芳香剤付与縫製処理を図２０のフローチャートを参照して説明する。図２０のフローチャートに示すように、図９メイン処理において縫製開始・停止スイッチ２１が押下されると、まず、初期化処理を実行する（Ｓ９０）。この処理により、例えば、縫製に必要な各種設定が、設定記憶領域６３２に読み込まれる。続いて、模様縫製データ記憶領域６３３を参照して、縫製対象の模様縫製データを読み出す（Ｓ９５）。この処理では、模様縫製データを縫製順序に従って１つずつ順に読み出す。続いて、Ｓ９５において読み出した模様縫製データのコマンド１８１が「全体香り」であるか否かを判断する（Ｓ１００）。Ｓ９５において読み出した模様縫製データのコマンド１８１が「全体香り」である場合には（Ｓ１００：Ｙｅｓ）、続いて、Ｓ９５において読み出した模様縫製データ（全体香りデータ１９０）のデータ１８２を刺繍模様等の模様全体に付与する選択芳香剤として設定し、縫製条件記憶領域６３５に記憶する（Ｓ１０５）。図８に示す模様縫製データ１８０では、全体香りデータ１９０のデータ１８２「薔薇（芳香剤Ｆ）」を刺繍模様２１１全体に付与する選択芳香剤として設定し、縫製条件記憶領域６３５に記憶する（Ｓ１０５）。
【００８８】
続いて、後述するＳ１７０の処理を実行する。一方、Ｓ９５において読み出した模様縫製データのコマンド１８１が「全体香り」ではない場合には（Ｓ１００：Ｎｏ）、続いて、Ｓ９５において読み出した模様縫製データのコマンド１８１が「全体付与量」であるか否かを判断する（Ｓ１１０）。Ｓ９５において読み出した模様縫製データのコマンド１８１が「全体付与量」である場合には（Ｓ１１０：Ｙｅｓ）、続いて、Ｓ９５において読み出した模様縫製データ（全体付与量データ１９３）のデータ１８２を選択芳香剤の付与量として設定し、縫製条件記憶領域６３５に記憶する（Ｓ１１５）。図７に示す模様縫製データ１８０では、全体付与量データ１９１の「３」を選択芳香剤「薔薇（芳香剤Ｆ）」の付与量として設定し、縫製条件記憶領域６３５に記憶する（Ｓ１１５）。
【００８９】
選択芳香剤の付与方法が「全体（ブレンド）」である場合には、さらにＳ１１５において、設定記憶領域６３２と縫製条件記憶領域６３５とを参照して、刺繍模様等の模様全体に付与する複数の選択芳香剤と、各選択芳香剤の調合比と、調合された選択芳香剤の付与量とを読み出して設定する。例えば、模様縫製データ記憶領域６３３から、図１７の香り設定画面３０１のブレンド設定欄３５２に表示されている「花びらブレンド」をブレンド名として読み出した場合には、次のような処理を行う。設定記憶領域６３２を参照して、「花びらブレンド」に対応する選択芳香剤として、芳香剤Ａ，芳香剤Ｂ，芳香剤Ｄ及び芳香剤Ｅを読み出す。また、各選択芳香剤の調合比として、芳香剤Ａ：芳香剤Ｂ：芳香剤Ｄ：芳香剤Ｅ＝４：３：２：１を読み出す。そして模様縫製データ記憶領域６３３を参照して、調合後の選択芳香剤の付与量として「３」を読み出す。
【００９０】
Ｓ１１５に続いて、選択芳香剤の付与方法が「全体（ブレンド）」である場合には、複数種類の選択芳香剤を調合比に従って調合する（Ｓ１２０）。具体的には、Ｓ１０５において設定した調合後された選択芳香剤の単位時間当たりの付与量と、縫製時間とに基づき、刺繍模様等の模様に付与される選択芳香剤の総量を計算し、その総量に各芳香剤の調合比から求めた調合比率を乗じて、各芳香剤の投入量を決定する。前述の例において、刺繍模様２１１全体を縫製するのに要する縫製時間が１３分である場合には、選択芳香剤の単位時間当たりの付与量０．１５ｍｌ／分と、縫製時間１３分とから、刺繍模様２１１に付与される選択芳香剤の総量１．９５ｍｌを求める。そして、その総量１．９５ｍｌに各芳香剤の調合比から求めた調合比率を乗じて、各芳香剤の投入量を、芳香剤Ａは０．７８ｍｌ，芳香剤Ｂは０．５８５ｍｌ，芳香剤Ｄは０．３９ｍｌ及び、芳香剤Ｅは０．１９５ｍｌとそれぞれ決定する。続いて、駆動回路９１の駆動を制御して、各芳香剤に対応するカートリッジ側管路開閉用電磁弁９６（図３参照）を開閉させて、決定された投入量だけ各芳香剤を調合タンク５６（図１及び図２参照）に加える。このとき、複数種類の芳香剤がよく混ざり合うように、調合タンク５６に振動を加えたり、調合タンク５６の内部に攪拌子等を設けて攪拌させたりするようにしてもよい。選択芳香剤の付与方法が「全体（ブレンド）」ではない場合には、このＳ１２０の処理を省略する。続いて、後述するＳ１７０の処理を実行する。
【００９１】
一方、Ｓ９５において読み出した模様縫製データのコマンド１８１が「全体付与量」ではない場合には（Ｓ１１０：Ｎｏ）、続いて、Ｓ９５において読み出した模様縫製データのコマンド１８１が「色替え」であるか否かを判断する（Ｓ１２５）。Ｓ９５において読み出した模様縫製データのコマンド１８１が「色替え」である場合には（Ｓ１２５：Ｙｅｓ）、続いて、選択芳香剤の吐出を停止する（Ｓ１３０）。具体的には、駆動回路９１及び９２の駆動を制御して、開放中のカートリッジ側管路開閉用電磁弁９６（図３参照）と、ヘッド側管路開閉用電磁弁９７（図３参照）とを閉じる（Ｓ１３０）。このとき、ミシンモータ７９（図３参照）の駆動も停止させる。続いて、糸がセットされたか否かを判断する（Ｓ１４０）。この処理は、ユーザにより糸替えが実行されて、縫製再開の指示があるか否か（縫製開始・停止スイッチ２１が押下されるか否か）により判断する。糸がセットされていない場合には（Ｓ１４０：Ｎｏ）、糸がセットされるまで待機する。一方、糸がセットされた場合には（Ｓ１４０：Ｙｅｓ）、続いて、後述するＳ１７０の処理を実行する。
【００９２】
一方、Ｓ９５において読み出した模様縫製データのコマンド１８１が「色替え」ではない場合には（Ｓ１２５：Ｎｏ）、続いて、Ｓ９５において読み出した模様縫製データのコマンド１８１が縫製を指示する「縫製データ」であるか否かを判断する（Ｓ１６０）。Ｓ９５において読み出した模様縫製データのコマンド１８１が「縫製データ」である場合には（Ｓ１６０：Ｙｅｓ）、続いて、選択芳香剤の吐出を開始させる（Ｓ１６３）。この処理において、設定記憶領域６３２と、縫製条件記憶領域６３５と、香りデータ記憶領域６３６とを参照して、Ｓ１０５において設定した選択芳香剤を、Ｓ１１５において設定した付与量で吐出する（Ｓ１６３）。また、駆動回路７２を制御して、ミシンモータ７９を所定の回転速度で回転駆動させる（Ｓ１６３）。
【００９３】
具体的には、選択芳香剤の付与方法が「全体（ブレンド）」ではない場合には、駆動回路９１及び９２（図３参照）の駆動を制御して、Ｓ１０５において設定した選択芳香剤に対応するカートリッジ側管路開閉用電磁弁９６（図３参照）と、ヘッド側管路開閉用電磁弁９７（図３参照）とを開く。選択芳香剤の付与方法が「全体（ブレンド）」である場合には、Ｓ１２０の処理により既に選択芳香剤が調合タンク５６に加えられているので、ヘッド側管路開閉用電磁弁９７のみを開く。単位時時間当たりの吐出量の調整は、例えば、ヘッド側管路開閉用電磁弁９７を間欠開閉することにより実行する。また例えば、ヘッド側管路開閉用電磁弁９７の開閉量を調整することにより単位時時間当たりの吐出量の調整を実行する。前述の例では、「薔薇」に対応するＩＤ「６」の芳香剤Ｆを付与量３×０．０５ｍｌ／分で吐出させるように、少なくとも駆動回路９２の駆動を制御する。吐出ヘッド５２から吐出する選択芳香剤は、刺繍模様２１１の縫製に用いる部分の上糸に付与される。このため、糸駒全てに同じ芳香剤が付与されている場合に比べ、所望の模様に所望の香りを付与しやすい。また、刺繍模様等の模様を縫製する直前に縫製に用いる上糸に芳香剤が付与されるので、模様に付与された香りが長く継続する。この選択芳香剤を吐出させる処理は、Ｓ１３０又は後述するＳ１７５の処理が実行されるまで、継続して実行する。
【００９４】
続いて、縫製処理を実行する（Ｓ１６５）。具体的には、駆動回路７６，７７の駆動を制御して、縫針２９が加工布５の上にある状態で、Ｓ９５において読み出した模様縫製データのデータ１８２が指示する量刺繍枠３４を移動させる。そして、刺繍枠３４が移動された状態で、別途回転駆動しているミシンモータ７９を動力源として針棒４０（図２参照）が上下動することにより、選択芳香剤が付与された上糸を用いて縫目が形成される。続いて、後述するＳ１７０の処理を実行する。
【００９５】
一方、Ｓ９５において読み出した模様縫製データのコマンド１８１が「縫製データ」ではない場合には（Ｓ１６０：Ｎｏ）、続いて、模様縫製データ記憶領域６３３を参照して、Ｓ９５において読み出した模様縫製データが最後の模様縫製データであるか否かを判断する（Ｓ１７０）。Ｓ９５において読み出した模様縫製データが最後の模様縫製データではない場合には（Ｓ１７０：Ｎｏ）、続いて、Ｓ９５に戻り次の模様縫製データを読み出して処理を繰り返す。一方、Ｓ９５において読み出した模様縫製データが最後の模様縫製データである場合には（Ｓ１７０：Ｙｅｓ）、続いて、選択芳香剤の吐出を停止する（Ｓ１７５）。具体的には駆動回路９１及び９２の駆動を制御して、開放中のカートリッジ側管路開閉用電磁弁９６と、ヘッド側管路開閉用電磁弁９７とを閉じる（Ｓ１７５）。このとき、ミシンモータ７９の駆動も停止させる（Ｓ１７５）。続いて、芳香剤付与縫製処理を終了する。以上のように、ＣＰＵ６１は選択芳香剤の付与対象が「全体」である場合の芳香剤付与縫製処理を実行する。
【００９６】
次に、選択芳香剤の付与対象が「部分」である場合の芳香剤付与縫製処理を図２１のフローチャートを参照して説明する。図２１のフローチャートにおいて、図２０のフローチャートに示す芳香剤付与縫製処理において実行される処理と、同様な処理を実行する場合には、同じステップ番号を付与している。図２１のフローチャートに示す芳香剤付与縫製処理は、Ｓ１００，Ｓ１０５，Ｓ１１０，Ｓ１１５及びＳ１２０に替えて、Ｓ１０１，Ｓ１０６，Ｓ１１１，Ｓ１１６及びＳ１２２の処理を行う点で、図２０のフローチャートに示す芳香剤付与縫製処理と異なる。図２０のフローチャートに示す選択芳香剤の付与対象が「全体」である場合の芳香剤付与縫製処理と同様な処理については説明を省略し、異なる処理について説明をする。
【００９７】
Ｓ１０１では、Ｓ９５において読み出した模様縫製データのコマンド１８１が「部分香り」であるか否かを判断する（Ｓ１０１）。Ｓ９５において読み出した模様縫製データのコマンド１８１が「部分香り」である場合には（Ｓ１０１：Ｙｅｓ）、続いて、Ｓ９５で読み出した模様縫製データ（部分香りデータ）のデータ１８２が示す芳香剤を、選択芳香剤として縫製条件記憶領域６３５に記憶する（Ｓ１０６）。Ｓ１０６において設定される選択芳香剤は、コマンド１８１が「色替え」である模様縫製データのうち、直前に読み出した模様縫製データにより指定される糸色の糸で縫製される際に、上糸に付与される芳香剤として設定される。図７に示す部分香りデータ１９２では、データ１８２「花びら（芳香剤Ａ）」を上糸の糸色がピンクの場合に付与する選択芳香剤として設定し、縫製条件記憶領域６３５に記憶する（Ｓ１０６）。続いて、前述のＳ１７０の処理を実行する。一方、Ｓ９５において読み出した模様縫製データのコマンド１８１が「部分香り」ではない場合には（Ｓ１０１：Ｎｏ）、続いて、Ｓ９５において読み出した模様縫製データのコマンド１８１が「部分付与量」であるか否かを判断する（Ｓ１１１）。
【００９８】
Ｓ９５において読み出した模様縫製データのコマンド１８１が「部分付与量」ではない場合には（Ｓ１１１：Ｎｏ）、図２０のフローチャートと同様のＳ１２５を実行する。一方、Ｓ９５において読み出した模様縫製データのコマンド１８１が「部分付与量」である場合には（Ｓ１１１：Ｙｅｓ）、続いて、Ｓ９５において読み出した模様縫製データ（部分付与量データ）のデータ１８２を、選択芳香剤の付与量として、縫製条件記憶領域６３５に記憶する（Ｓ１１６）。この処理において設定される付与量に対応する選択芳香剤は、直前に実行されたＳ１０６において設定した芳香剤である。図７に示す部分付与量データ１９３では、部分付与量データ１９３のデータ１８２の「３」を部分香りデータ１９２で指定された選択芳香剤「花びら（芳香剤Ａ）」の付与量として設定し、縫製条件記憶領域６３５に記憶する（Ｓ１１６）。また、選択芳香剤の付与方法が「部分（ブレンド）」である場合には、図２０のフローチャートのＳ１１５と同様に、縫製条件記憶領域６３５を参照して、糸色ごとに付与する複数の選択芳香剤と、各選択芳香剤の調合比と、調合された選択芳香剤の付与量とを読み出して設定する。
【００９９】
続いて、選択芳香剤の付与方法が「部分（ブレンド）」である場合には、縫製条件記憶領域６３５を参照して、複数種類の選択芳香剤を調合比に従って調合する（Ｓ１２２）。この処理は、図２０のフローチャートのＳ１２０と同様である。ただし、調合比に応じて各選択芳香剤を調合タンク５６（図１及び図２参照）に投入する投入量の算出に際しては、刺繍模様等の模様全体の縫製時間に替えて、部分模様の縫製時間を用いる。部分模様の縫製時間とは、部分香りデータの直前の模様縫製データ（色替えデータ）で指定される糸色を用いて部分模様を縫製するのに要する時間である。選択芳香剤の付与方法が「部分（ブレンド）」ではない場合には、この処理は省略する。以上のように、ＣＰＵ６１は選択芳香剤の付与対象が「部分」である場合の芳香剤付与縫製処理を実行する。
【０１００】
尚、第１の実施形態のミシン１において、選択芳香剤を吐出ヘッド５２から吐出させる、図３に示すカートリッジ側管路開閉用電磁弁９６及びヘッド側管路開閉用電磁弁９７は、本発明の吐出手段に相当する。カートリッジ側管路開閉用電磁弁９６及びヘッド側管路開閉用電磁弁９７を備え、模様の縫製に用いる上糸に１種類又は複数種類の選択芳香剤を付与する、図１及び図２に示す調香器５０は、芳香剤付与手段に相当する。
【０１０１】
また、選択芳香剤の付与方法が「部分（カートリッジ）」又は「部分（ブレンド）」である場合に、図１１に示す予め定められた糸色と芳香剤との対応関係を参照して、模様縫製データを変更設定する（図１４に示すフローチャートのＳ３０）、図３に示すＣＰＵ６１は、本発明の第１芳香剤選択手段として機能する。また、選択芳香剤の付与方法が「全体（カートリッジ）」又は「全体（ブレンド）」である場合に、模様縫製データが分類されているカテゴリーと芳香剤との対応関係（図１２）を参照して、模様縫製データを変更設定する（図１４に示すフローチャートのＳ３０）、図３に示すＣＰＵ６１は、本発明の第１芳香剤選択手段として機能する。また、図１８のフローチャートに示す香り設定処理において、模様縫製データに含まれる色替えデータにより指定される上糸の糸色に対応する芳香剤又は、刺繍模様等の模様全体に付与する芳香剤を複数種類の芳香剤の中から選択芳香剤として選択する、図１及び図３に示すタッチパネル２６は、第２芳香剤選択手段に相当する。また、図１８のフローチャートに示す香り設定処理において、上糸の糸色に対応する芳香剤又は、刺繍模様等の模様全体に付与する芳香剤を、複数種類の芳香剤の調合比を設定することにより選択する、図１及び図３に示すタッチパネル２６は、第２芳香剤選択手段に相当する。
【０１０２】
また、図１８のフローチャートに示す香り設定処理において、選択芳香剤の付与量を設定する、図１及び図３に示すタッチパネル２６は、本発明の付与量設定手段に相当する。また、図１４のフローチャートに示す選択芳香剤付与方法設定処理において、図１１のテーブル６００又は図１２のテーブル７００を参照して、模様縫製データに含まれる全体付与量データ又は部分付与量データを設定変更する（Ｓ３０）、図３に示すＣＰＵ６１は、本発明の付与量設定手段として機能する。また、刺繍模様２１１の縫製中に、模様縫製データに含まれる香りデータのうち、全体香りデータ又は部分香りデータにより指定される芳香剤を選択芳香剤とし（図２０のフローチャートのＳ１０５又は、図２１のフローチャートのＳ１０６）、全体付与量データ又は部分付与量データにより指定される付与量に応じて、少なくともヘッド側管路開閉用電磁弁９７の開閉を制御して、その選択芳香剤を吐出ヘッド５２から吐出させる（図２０又は図２１のフローチャートのＳ１６３）、図３に示すＣＰＵ６１は、本発明の芳香剤付与制御手段として機能する。
【０１０３】
また、選択芳香剤の付与方法が「全体（ブレンド）」又は「部分（ブレンド）」であり、選択芳香剤が複数種類の芳香剤である場合に、それらの芳香剤を調合比に従って調合タンク５６において調合させる（図２０のフローチャートの１２０又は、図２１のフローチャートの１２２）、図３に示すＣＰＵ６１は、調合手段として機能する。また、刺繍模様２１１の縫製中に、調合された選択芳香剤を、付与量に従って吐出ヘッド５２から吐出させる（図２０又は図２１のフローチャートのＳ１６３）、図３に示すＣＰＵ６１は、本発明の芳香剤付与制御手段として機能する。
【０１０４】
以上詳述した第１の実施形態のミシン１によれば、模様縫製データ及びその模様縫製データに付随する固有データの少なくともいずれかに応じて、模様の縫製に用いる上糸に１種類又は複数種類の芳香剤を付与するようにしている。具体的には、第１の実施形態では、選択芳香剤の付与方法が「全体（設定）」又は「部分（設定）」である場合には、模様縫製データに含まれる香りデータに従って選択芳香剤を設定する。選択芳香剤の付与方法が「部分（カートリッジ）」又は「部分（ブレンド）」の場合には、模様縫製データに含まれる糸替えデータにより指定された糸色に対応する選択芳香剤及びその付与量を図１１のテーブル６００を参照して設定する。また、選択芳香剤の付与方法が「全体（カートリッジ）」又は「全体（ブレンド）」の場合には、模様縫製データが分類されているカテゴリーに対応する選択芳香剤及びその付与量を図１２のテーブル７００を参照して設定する。このため、選択芳香剤が付与された上糸で縫製することにより、模様に芳香剤を容易に付与することができる。この芳香剤はミシン本体２に着脱可能なカートリッジ５３に収納されているので、芳香剤の装填や交換を容易に行うことができる。また、このため選択芳香剤の付与方法に応じて、模様に付与される芳香剤の種類と付与量とを適切に制御することができる。
【０１０５】
また、図１８のフローチャートに示す香り設定処理においては、複数種類の芳香剤の中から、上糸に付与する芳香剤を選択するタッチパネル２６を備えているので、上糸２０に付与する選択芳香剤として、ユーザの嗜好に応じて好みの芳香剤を選択することができる。また、選択芳香剤の付与量を設定するタッチパネル２６を備えているので、上糸に付与する選択芳香剤の付与量をユーザの嗜好に応じて適切に設定し、その付与量だけ選択芳香剤を付与することができる。
【０１０６】
また第１の実施形態では、選択芳香剤の付与方法が「全体（ブレンド）」又は「部分（ブレンド）」であり、選択芳香剤が複数種類の芳香剤である場合に、それらの芳香剤を所定の割合で調合してから、調合された選択芳香剤を上糸に付与している。このため、模様に付与することができる香りのバリエーションが増え、複数種類の芳香剤を調合した所望の香りの芳香剤が付与された模様を容易に得ることができる。
【０１０７】
また、第１の実施形態のミシン１は、縫製中に選択芳香剤を縫製に用いる上糸に付与しているので、模様の縫製と、模様に芳香剤を付与する作業とを同時に行うことができる。また、模様を縫製する際には刺繍枠３４の移動に伴い加工布５が移動するため、模様に付与された芳香剤が揮発しやすくなり、縫製作業中にも芳香剤の香りを楽しむことができる。
【０１０８】
ところで、上記第１の実施形態では、ＲＡＭ６３の模様縫製データ記憶領域６３３に読み込んだ模様縫製データに含まれる香りデータを、前述の選択芳香剤付与方法設定処理
又は香り設定処理において設定、変更するようにしていた。しかし、第２の実施形態に示すように、ＲＡＭ６３に読み込んだ模様縫製データに含まれる香りデータを変更するのに替えて、ＲＡＭ６３に読み込んだ、図１１のテーブル６００及び図１２のテーブル７００を変更するようにしてもよい。次に、第２の実施形態の芳香剤付与縫製処理について、図２２〜図２５に示すフローチャートを参照して説明する。第２の実施形態のミシン１の物理的構成及び電気的構成は第１の実施形態と同様であるので説明を省略する。図２２は、選択芳香剤の付与方法が「全体（カートリッジ）」である場合の、第２の実施形態の芳香剤付与縫製処理の流れを示すフローチャートである。また図２３は、選択芳香剤の付与方法が「全体（ブレンド）」である場合の、第２の実施形態の芳香剤付与縫製処理の流れを示すフローチャートである。また図２４は、選択芳香剤の付与方法が「部分（カートリッジ）」である場合の第２の実施形態の芳香剤付与縫製処理の流れを示すフローチャートである。図２５は、選択芳香剤の付与方法が「部分（ブレンド）」である場合の第２の実施形態の芳香剤付与縫製処理の流れを示すフローチャートである。尚、図２２〜図２５のフローチャートに示す各処理を実行させるプログラムは、ＲＯＭ６２に記憶されており、プログラム実行時にはＲＡＭ６３のプログラム記憶領域６３１に読み込んで、図３に示すＣＰＵ６１が実行する。また、処理を実行するために必要な各種情報は、ＲＯＭ６２，ＥＥＰＲＯＭ６４又は外部記憶装置３９から読み出され、ＲＡＭ６３の設定記憶領域６３２に記憶されているものとする。
【０１０９】
第２の実施形態では、選択芳香剤の付与方法が「全体（設定）」及び、「部分（設定）」である場合の処理は、模様縫製データに含まれる香りデータに応じて、選択芳香剤及びその付与量を設定する。一方、選択芳香剤の付与方法が、「全体（カートリッジ）」又は「全体（ブレンド）」である場合には、縫製時に、図１２のテーブル７００を参照して、模様が分類されているカテゴリーに対応する選択芳香剤及びその付与量を決定する。また、「部分（カートリッジ）」又は「部分（ブレンド）」である場合には、縫製時に、図１１のテーブル６００を参照して、糸色に対応する選択芳香剤及びその付与量を決定する。
【０１１０】
したがって、第２の実施形態の第２の実施形態のメイン処理、選択芳香剤付与方法設定処理及び香り設定処理は、以下の点において第１の実施形態と異なる。まず、香りデータを含まない模様縫製データをＲＡＭ６３の模様縫製データ記憶領域６３３に読み込む際には、新たに香りデータを記憶するための領域を設けなくてもよい。また、図１４のフローチャートに示す選択芳香剤付与方法設定処理においては、第１の実施形態とは異なり、Ｓ３０においてＲＡＭ６３に記憶されている模様縫製データを更新しなくてもよい。また、図１８のフローチャートに示す香り設定処理のＳ２７５においては、模様縫製データを更新する処理に替えて、ＲＡＭ６３の設定記憶領域６３２に読み込まれている図１１のテーブル６００又は図１２のテーブル７００を更新する。
【０１１１】
第２の実施形態の芳香剤付与縫製処理は、選択芳香剤の付与方法に応じて処理が異なる。選択芳香剤の付与方法が「全体（設定）」及び、「部分（設定）」である場合の処理は、模様縫製データに含まれる香りデータに応じて、選択芳香剤及びその付与量を設定する図２０及び図２１のフローチャートに示す第１の実施形態の芳香剤付与縫製処理と同様である。以下、第１の実施形態の芳香剤付与縫製処理と異なる、選択芳香剤の付与方法が、「全体（カートリッジ）」、「全体（ブレンド）」、「部分（カートリッジ）」又は「部分（ブレンド）」である場合の芳香剤付与縫製処理を順に説明する。尚、図２２〜図２５のフローチャートにおいて、図２０又は図２１のフローチャートに示す第１の実施形態の芳香剤付与縫製処理において実行される処理と、同様な処理を実行する場合には、同じステップ番号を付与している。
【０１１２】
まず、選択芳香剤の付与方法が「全体（カートリッジ）」である場合の芳香剤付与縫製処理を図２２のフローチャートを参照して説明する。この処理は、図９のフローチャートのＳ９において実施される。図２２のフローチャートに示す芳香剤付与縫製処理は、Ｓ１００，Ｓ１０５，Ｓ１１０，Ｓ１１５及びＳ１２０の処理を行わず、Ｓ９１の処理を実行する点で、第１の実施形態において実行される、図２０のフローチャートに示す芳香剤付与縫製処理と異なる。図２０に示す芳香剤付与縫製処理と同様な処理については説明を省略し、異なる処理について説明をする。
【０１１３】
Ｓ９１において、設定記憶領域６３２を参照して、刺繍模様等の模様全体に付与する選択芳香剤と、その選択芳香剤の付与量とを読み出して、縫製条件記憶領域６３５に記憶する。例えば、カテゴリー７０１が「花」に分類されている刺繍模様２１１（薔薇７０７）では、図１２のテーブル７００を参照して、選択芳香剤として、「芳香剤Ａ」を、選択芳香剤の付与量として「３」をそれぞれ読み出して、縫製条件記憶領域６３５に記憶する。そしてＳ１６３の処理では、設定記憶領域６３２と、縫製条件記憶領域６３５と、香りデータ記憶領域６３６とを参照して、Ｓ９１において設定した選択芳香剤を、Ｓ９１において設定した付与量だけ吐出させる。以上のように、ＣＰＵ６１は選択芳香剤の付与方法が「全体（カートリッジ）」である場合の第２の実施形態の芳香剤付与縫製処理を実行する。
【０１１４】
次に、選択芳香剤の付与方法が「全体（ブレンド）」である場合の第２の実施形態の芳香剤付与縫製処理を図２３のフローチャートを参照して説明する。この処理は、図９のフローチャートのＳ９において実施される。図２３のフローチャートに示す芳香剤付与縫製処理は、Ｓ９１に替えてＳ９２及びＳ９３の処理を行う点で、図２２のフローチャートに示す芳香剤付与縫製処理と異なる。図２２のフローチャートに示す芳香剤付与縫製処理と同様な処理については説明を省略し、異なる処理について説明をする。
【０１１５】
Ｓ９２において、設定記憶領域６３２を参照して、刺繍模様等の模様全体に付与する複数の選択芳香剤と、各選択芳香剤の調合比と、調合された選択芳香剤の付与量とを読み出して、縫製条件記憶領域６３５に記憶する（Ｓ９２）。例えば、図１８の香り設定画面３０１のブレンド設定欄３５２に表示されている「花びらブレンド」をブレンド名として読み出した場合には、次のような処理を行う。図１２のテーブル７００及び、図１２のブレンド名に対応する複数の選択芳香剤とそれらの調合比との関係を定めたテーブル（図示せず）を参照して、選択芳香剤として、芳香剤Ａ，芳香剤Ｂ，芳香剤Ｄ及び芳香剤Ｅを読み出す。また、各選択芳香剤の調合比として、芳香剤Ａ：芳香剤Ｂ：芳香剤Ｄ：芳香剤Ｅ＝４：３：２：１を読み出す。そして、調合された選択芳香剤の付与量として「３」を読み出し、縫製条件記憶領域６３５に記憶する。
【０１１６】
続いて、複数種類の選択芳香剤を調合比に従って調合する（Ｓ９３）。具体的には、図２０のフローチャートのＳ１２０と同様であり、Ｓ９２において設定した調合された選択芳香剤の単位時間当たりの付与量と、縫製時間とに基づき、刺繍模様等の模様全体に付与される選択芳香剤の総量を計算する。そして、その総量に各芳香剤の調合比から求めた調合比率を乗じて、各芳香剤の投入量を決定する。Ｓ１６３では、設定記憶領域６３２と、縫製条件記憶領域６３５とを参照して、Ｓ９３において調合した選択芳香剤をＳ９２において設定した付与量だけ吐出させる。具体的には、駆動回路９２の駆動を制御して、ヘッド側管路開閉用電磁弁９７を開閉させて、付与量だけ調合された選択芳香剤を吐出させる。以上のように、ＣＰＵ６１は選択芳香剤の付与方法が「全体（ブレンド）」である場合の芳香剤付与縫製処理を実行する。
【０１１７】
次に、選択芳香剤の付与方法が「部分（カートリッジ）」である場合の第２の実施形態の芳香剤付与縫製処理を図２４のフローチャートを参照して説明する。この芳香剤付与縫製処理は、図６のフローチャートのＳ１０において実施される。図２４のフローチャートに示す芳香剤付与縫製処理は、Ｓ１０１，Ｓ１０６，Ｓ１１１，Ｓ１１６及びＳ１２２の処理を行わず、さらに、Ｓ１４２の処理を行う点で、第１の実施形態において実行される図２１のフローチャートに示す芳香剤付与縫製処理と異なる。図２１のフローチャートに示す芳香剤付与縫製処理と同様な処理については説明を省略し、異なる処理について説明をする。
【０１１８】
Ｓ１４２では、設定記憶領域６３２を参照して、Ｓ９５において読み出した模様縫製データのコマンド１８１により指定される糸色に対応する選択芳香剤及びその付与量を設定し、縫製条件記憶領域６３５に記憶する（Ｓ１４２）。例えば、直前に読み出された色替えデータにより指定される糸色が「ピンク」である場合には、図１１のテーブル６００を参照して、選択芳香剤として芳香剤Ａを、選択芳香剤の付与量として「３」をそれぞれ読み出して、縫製条件記憶領域６３５に記憶する（Ｓ１４２）。Ｓ１６３では、縫製条件記憶領域６３５に記憶されている設定に従って、選択芳香剤を付与量だけ吐出させる（Ｓ１６３）。選択芳香剤の具体的な吐出方法は、図２０のフローチャートを参照して前述したＳ１６３と同様である。以上のように第２の実施形態においては、ＣＰＵ６１は選択芳香剤の付与方法が「部分（カートリッジ）」である場合の芳香剤付与縫製処理を実行する。
【０１１９】
次に、第２の実施形態における、選択芳香剤の付与方法が「部分（ブレンド）」である場合の芳香剤付与縫製処理を図２５のフローチャートを参照して説明する。この処理は、図６のフローチャートのＳ１０において実施される。図２５のフローチャートに示す芳香剤付与縫製処理は、Ｓ１４２に替えて、Ｓ１４３，Ｓ１４４及び、Ｓ１４５の処理を行う点で、図２４のフローチャートに示す芳香剤付与縫製処理と異なる。選択芳香剤の付与方法が「部分（カートリッジ）」である場合の芳香剤付与縫製処理と同様な処理については説明を省略し、異なる処理について説明をする。
【０１２０】
Ｓ１４３では、設定記憶領域６３２を参照して、Ｓ９５において読み出した模様縫製データのコマンド１８１により指定される糸色に対応する１又は複数種類の選択芳香剤を縫製条件記憶領域６３５に記憶する（Ｓ１４３）。また、それらの選択芳香剤の調合比並びに、調合された選択芳香剤の上糸への付与量を設定し、縫製条件記憶領域６３５に記憶する（Ｓ１４３）。続いて、Ｓ１４３で設定された選択芳香剤が複数であるか否かを判断する（Ｓ１４４）。選択芳香剤が複数の場合は（Ｓ１４４：Ｙｅｓ）、選択芳香剤ごとの調合比に従って調合する（Ｓ１４５）。調合方法は、第１の実施形態における図２１に示すフローチャートのＳ１２２の処理と同様である。選択芳香剤が複数ではない場合（Ｓ１４４：Ｎｏ）、及びＳ１４５に続いて、Ｓ１７０の処理を実行する。Ｓ１７０の処理は、第１の実施形態における図２０のフローチャートに示すＳ１７０と同様である。Ｓ１６３では、１種類の選択芳香剤をＳ１４３で設定した付与量に従って吐出させる（Ｓ１６３）。具体的な吐出方法は、図２０のフローチャートを参照して前述したＳ１６３と同様である。以上のように、ＣＰＵ６１は選択芳香剤の付与方法が「部分（ブレンド）」である場合の第２の実施形態の芳香剤付与縫製処理を実行する。
【０１２１】
以上詳述したように、第２の実施形態の芳香剤付与縫製処理において、ＣＰＵ６１は、選択芳香剤の付与対象ごとに異なる処理により、上糸に選択芳香剤を付与しながら縫製を行う芳香剤付与縫製処理を実行する。尚、上記第２の実施形態の芳香剤付与縫製処理において、選択芳香剤の付与方法が「部分（カテゴリー）」又は「部分（ブレンド）」である場合に、図１１のテーブル６００に示す糸色と芳香剤との対応関係を参照して、模様縫製データに含まれる糸色に対応する芳香剤を選択芳香剤となるように設定する（図２４のフローチャートのＳ１４２又は、図２５のフローチャートのＳ１４３）、図３に示すＣＰＵ６１は、本発明の第１芳香剤選択手段として機能する。また、選択芳香剤の付与方法が「全体（カートリッジ）」又は「全体（ブレンド）」である場合に、図１２のテーブル７００に示す模様縫製データが分類されているカテゴリーと芳香剤との対応関係を参照して、模様縫製データに含まれる糸色に対応する芳香剤を選択芳香剤となるように設定する（図２２のフローチャートのＳ９１又は、図２３のフローチャートのＳ９２）、図３に示すＣＰＵ６１は、本発明の第１芳香剤選択手段として機能する。
【０１２２】
また、図２２〜図２５のフローチャートに示す芳香剤付与縫製処理において、選択芳香剤の付与量を設定する（図２２のフローチャートのＳ９１，図２３のフローチャートのＳ９２，図２４のフローチャートのＳ１４２又は、図２５のフローチャートのＳ１４３）、図３に示すＣＰＵ６１は、本発明の付与量設定手段として機能する。また、図２２及び図２３のフローチャートに示す芳香剤付与縫製処理において、図１２のテーブル７００を参照して、模様縫製データが分類されているカテゴリーに対応する選択芳香剤と、その選択芳香剤の付与量とを設定し、その設定に従って吐出ヘッド５２から吐出させる（Ｓ１６３）、図３に示すＣＰＵ６１は、本発明の芳香剤付与制御手段として機能する。また、図２２及び図２３のフローチャートに示す芳香剤付与縫製処理において、図１１のテーブル６００を参照して、模様縫製データに含まれる糸色に対応する選択芳香剤と、その選択芳香剤の付与量とを設定し、その設定に従い選択芳香剤を吐出ヘッド５２から吐出させる（Ｓ１６３）、図３に示すＣＰＵ６１は、本発明の芳香剤付与制御手段として機能する。
【０１２３】
また、図２３又は図２５のフローチャートに示す芳香剤付与縫製処理において、刺繍模様２１１の縫製中に、調合された選択芳香剤を（図２３のフローチャートのＳ９３又は、図２５のフローチャートのＳ１４５）、付与量に従って吐出ヘッド５２から吐出させる（Ｓ１６３）、図３に示すＣＰＵ６１は、本発明の芳香剤付与制御手段として機能する。
【０１２４】
上記第２の実施形態のミシン１によれば、ＲＡＭ６３の模様縫製データ記憶領域６３３に記憶されている模様データに含まれる香りデータを変更することなく、第１の実施形態と同様の効果が得られる。
【０１２５】
尚、本発明は、以上詳述した第１及び第２の実施形態に限定されるものではなく、本発明の要旨を逸脱しない範囲内において種々変更を加えてもよい。例えば、第１及び第２の実施形態のミシン１では、調香器５０は、ミシン１の頭部１４に備えられていたが、調香器５０の構成、設置位置、形状、大きさ等は適宜変更可能であり、第１の実施形態の場合に限定されない。例えば、下糸に芳香剤を付与する場合や、刺繍枠３４に挟持された加工布の被縫製部に下側から芳香剤を付与する場合には、調香器をミシンベッド１１に設けるようにしてもよい。また例えば、複数種類の芳香剤を調合しない場合には、調合タンク５６を備えないようにしてもよい。また例えば、調香器はミシン本体２とは別体に設けられていてもよい。
【０１２６】
また第１及び第２の実施形態のミシン１では、調香器５０には、６つのカートリッジが装着されていたが、調香器５０が装着可能なカートリッジの数やカートリッジの大きさ、形状等は適宜変更可能である。また、第１の実施形態では、芳香剤はカートリッジ内に装填されていたが、これに限定されず、例えば、調香器に芳香剤を貯留する備え付けのタンクを設け、そのタンクに適宜芳香剤を詰め替えるようにしてもよい。
【０１２７】
また第１及び第２の実施形態では、第２芳香剤選択手段及び付与量設定手段として、タッチパネル２６を用いていたが、これに限定されない。例えば、マウス、ゲームコントローラ等の各種のスイッチ、トラックボールやジョイスティック等のポインティングデバイス等、ユーザとインターフェイスをとるものを採用可能である。
【０１２８】
また第１及び第２の実施形態では、一例として、刺繍模様２１１に選択芳香剤を付与する場合について説明したが、芳香剤を付与する対象は、刺繍模様の他、実用模様、文字模様等の任意の模様を採用可能である。
【０１２９】
また第１及び第２の実施形態では、選択芳香剤の付与方法として、図５のテーブル５５０に示す６種類の付与方法を定めていたが、選択芳香剤の付与方法の数は第１及び第２の実施形態の場合に限定されない。６種類の付与方法から選択した１又は２以上の付与方法を実行可能に構成してもよい。また第１及び第２の実施形態では、選択芳香剤を付与する対象（範囲）が「部分」である場合に、上糸の糸色ごとに区分されるすべての部品模様に選択芳香剤を付与するようにしていたが、一部の部品模様のみに選択芳香剤を付与するようにしてもよい。また図１８に示すような香り設定処理をミシン１とは別体に設けられた模様縫製データ作成装置において行うようにしてもよい。この場合には、模様縫製データ作成装置において作成された模様縫製データをＲＡＭ６３に読み込んで、第１の実施形態と同様の処理により、芳香剤を上糸等に付与しながら縫製を行うようにすればよい。
【０１３０】
第１及び第２の実施形態では、説明を簡単にするために、調香器５０のライン上に残存する芳香剤については考慮しなかったが、考慮するようにしてもよい。例えば、選択芳香剤を切り替える際に、ライン上に残存する芳香剤を取り除く処理を行ってもよいし、ライン上に芳香剤が残らないように、吐出時間を調整するようにしてもよい。
【０１３１】
また第１及び第２の実施形態では、選択芳香剤の付与対象が「部分」である場合に、糸色と対応付けられた芳香剤を選択芳香剤として設定し、その選択芳香剤を上糸に付与するようにしていたが、これに限定されない。例えば、図６に示す刺繍模様２１１が、薔薇の花と葉とから構成されているように、刺繍模様等の模様が複数の部品模様から構成される場合には、部品模様ごとに設定された選択芳香剤を、その部品模様を縫製する際に用いる上糸に付与するようにしてもよい。模様縫製データがどの部品模様に対応するデータであるかを指定するコマンドが、模様縫製データに含まれていれば、図２１，図２４及び図２５のフローチャートを参照して前述の芳香剤付与縫製処理と同様な処理により、部品模様ごとに選択芳香剤を付与することができる。この場合には、刺繍模様等の模様が１又は複数の部品模様を備える場合、部品模様ごとに芳香剤が付与されるので、部品模様に適した芳香剤を付与させることができる。
【０１３２】
また、第１及び第２の実施形態では、図１６に示す香り設定画面３００又は図１７に示す香り設定画面３０１を操作して、調香器５０が備える６つのカートリッジのそれぞれに装填されている６種類の芳香剤の中から、上糸に付与する芳香剤を選択芳香剤として選択するようにしていた。しかし、カートリッジに装填されている芳香剤以外の芳香剤から選択するようにしてもよく、第１の実施形態の場合に限定されない。例えば、複数種類の芳香剤のリストの中から上糸に付与する芳香剤を選択芳香剤として選択するようにしてもよい。この場合、選択された選択芳香剤が、調香器５０が備えるいずれかのカートリッジ内に装填されているか否かを判断し、装填されていない場合には、カートリッジの交換を促すようにすればよい。また、複数種類の芳香剤のリストの中から上糸に付与する芳香剤を選択芳香剤として選択する場合に用いるリストは、予めＲＯＭ６２やＥＥＰＲＯＭ６４に記憶されていてもよいし、外部記憶装置３９から読み込んだり、各種ネットワークを介して読み込んだりしてもよい。また例えば、刺繍模様等の模様に適した１又は複数種類の芳香剤の組合せを、選択芳香剤の候補として液晶ディスプレイ１５に表示し、その候補の中から選択芳香剤を選択させるようにしてもよい。この場合には、ユーザが刺繍模様等の模様に適した候補の中から好みの１又は複数種類の芳香剤の組合せを選択芳香剤として選択することができるので、ユーザが選択候補を選択する際の効率を向上させることができる。
【０１３３】
また第１及び第２の実施形態では、選択芳香剤の付与量を調整する方法として、吐出時間を縫製時間に固定して、単位時間当たりの芳香剤の吐出量を、付与量に従って調整するようにしていたが、これに限定されない。例えば、単位時間当たりの芳香剤の吐出量を固定し、吐出時間を変更することにより、設定された付与量だけ刺繍模様等の模様に付与するようにしてもよいし、また、吐出時間と吐出量との双方を制御するようにしてもよい。吐出時間を変更する場合には、例えば、設定された付与量に対応する係数を縫製時間に乗じて求めた吐出時間だけ選択芳香剤を吐出させるようにすればよい。
【０１３４】
また第１及び第２の実施形態では、吐出ヘッド５２から芳香剤を吐出させることにより、縫製に用いられる上糸に芳香剤を付与するようにしていたが、縫製に用いる上糸及び下糸並びに加工布の被縫製部に芳香剤を付与できればよく、この方法に限定されない。例えば、芳香剤を加工布の被縫製部に対して噴霧させてもよいし、スタンプ器に装填されたインクのように芳香剤を加工布の被縫製部に押し当ててもよい。また例えば、押え足３０と吐出ヘッド５２とを一体的に構成し、加工布５に対向する押え足３０の下面部から芳香剤を吐出させるようにしてもよい。
【０１３５】
また第１及び第２の実施形態では、刺繍枠移動装置３６を用いた刺繍模様の縫製中に、選択芳香剤を上糸に付与するようにしていたが、これに限定されない。例えば、刺繍枠移動装置３６をミシンベッド１１から取外して、送り歯により加工布５を移動させながら、刺繍模様ではない通常模様の縫製を行う際に、選択芳香剤を上糸等に付与するような構成にしてもよい。
【０１３６】
また第１及び第２の実施形態では、図２０，図２１，図２３又は図２５のフローチャートに示すように、複数の芳香剤を選択芳香剤として上糸に付与する場合には、予め複数の芳香剤を調合した後に、調合した選択芳香剤を吐出ヘッド５２から吐出させるようにしていたが、これに限定されない。例えば、複数の芳香剤のそれぞれに対応するカートリッジ側管路開閉用電磁弁９６を調合比率に従い開閉しながら縫製を実行する等により、選択芳香剤の調合と選択芳香剤の付与を同時に行うようにしてもよい。この場合には芳香剤を調合するための時間を要しないので、予め複数の芳香剤を調合する場合に比べ、縫製時間を短縮することができる。また例えば、複数の選択芳香剤を調合せずに１種類ずつ所定の順序に従って、吐出ヘッド５２から吐出させるようにしてもよい。
【０１３７】
また第１及び第２の実施形態では、刺繍模様等の模様縫製中に、選択芳香剤を上糸に付与するようにしていたが、選択芳香剤の付与対象は、上糸、下糸及び加工布の被縫製部から選択した１又は複数の組合せに対して付与すればよい。一例として、第１の実施形態のミシン１を使用して、加工布の被縫製部に上側から選択芳香剤を付与する場合を変形例１として説明する。変形例１では、まず加工布の被縫製部に選択芳香剤に付与してから、続いて、刺繍模様等の模様を縫製する。具体的には、吐出ヘッド５２の先端部を最上部に移動させた縫針２９の直下にセットする。そして、ミシンモータ７９を駆動させずに、図２０〜図２５に示すフローチャートの処理を実行する。このとき、糸セット済みであるか否かを判断する処理は省略する（Ｓ１４０）。続いて、模様縫製データに従った通常の縫製処理を実行する。以上の処理により、選択芳香剤が付与された加工布の被縫製部は、刺繍模様等の模様により覆われる。このため、例えば芳香剤に色が付いている場合であっても、刺繍模様等の模様に芳香剤を付与することにより模様の仕上がりが損なわれることはない。
【０１３８】
加工布の被縫製部に選択芳香剤を付与する場合、変形例１のように、被縫製部全体に選択芳香剤を付与する場合に限定されない。例えば、加工布の素材や厚みや芳香剤の特性等に応じて芳香剤が被縫製部以外の領域に染み出す場合を考慮して、被縫製部の所定量内側の領域に選択芳香剤を付与するようにしてもよい。その場合には、例えば、模様縫製データに基づき被縫製部内に選択芳香剤を付与するための領域を求め、変形例１と同様な処理によりその領域に選択芳香剤を付与すればよい。
【図面の簡単な説明】
【０１３９】
【図１】刺繍枠３４を備えるミシン１の斜視図である。
【図２】ミシン１が備える調香器５０を拡大した図である。
【図３】ミシン１の電気的構成を示す概念図である。
【図４】ＲＡＭ６３の記憶領域を説明するための概念図である。
【図５】第１の実施形態のミシン１が備える選択芳香剤の付与方法の種類を説明するための説明図である。
【図６】ミシン１により縫製される模様の一例として、刺繍模様２１１を説明するための説明図である。
【図７】刺繍模様２１１を縫製するための模様縫製データの一例を説明するための説明図である。
【図８】選択芳香剤の付与方法として「部分（カートリッジ）」が選択されている場合の、画面２００を説明するための説明図である。
【図９】メイン処理の流れを示すフローチャートである。
【図１０】調香器５０に装着されているカートリッジ５３内の芳香剤の種類と、画面に表示する芳香剤の名前との関係を説明するための説明図である。
【図１１】模様を縫製する際の上糸の糸色と芳香剤との対応関係を説明するための説明図である。
【図１２】選択芳香剤の付与方法として「全体（カートリッジ）」又は「全体（ブレンド）」である場合に参照される、刺繍模様が分類されるカテゴリーと芳香剤との対応関係を説明するための説明図である。
【図１３】縫製条件を設定するための画面１００を説明するための説明図である。
【図１４】図９のフローチャートに示すメイン処理において実行される選択芳香剤付与方法設定処理の流れを示すフローチャートである。
【図１５】選択芳香剤の付与方法を設定する状態の画面１００を説明するための説明図である。
【図１６】選択芳香剤の付与方法として「部分（カートリッジ）」が選択されている場合の、香り設定画面３００を説明するための説明図である。
【図１７】選択芳香剤の付与方法として「部分（ブレンド）」が選択されている場合の、香り設定画面３０１を説明するための説明図である。
【図１８】図９のフローチャートに示すメイン処理において実行される香り設定処理の流れを示すフローチャートである。
【図１９】選択芳香剤の付与方法として「全体（設定）」が選択されている場合の、画面２００を説明するための説明図である。
【図２０】第１の実施形態における、選択芳香剤の付与対象が「全体」である場合の芳香剤付与縫製処理の流れを示すフローチャートである。
【図２１】第１の実施形態における、選択芳香剤の付与対象が「部分」である場合の芳香剤付与縫製処理の流れを示すフローチャートである。
【図２２】第２の実施形態における、選択芳香剤の付与方法が「全体（カートリッジ）」である場合の芳香剤付与縫製処理の流れを示すフローチャートである。
【図２３】第２の実施形態における、選択芳香剤の付与方法が「全体（ブレンド）」である場合の芳香剤付与縫製処理の流れを示すフローチャートである。
【図２４】第２の実施形態における、選択芳香剤の付与方法が「部分（カートリッジ）」である場合の芳香剤付与縫製処理の流れを示すフローチャートである。
【図２５】第２の実施形態における、選択芳香剤の付与方法が「部分（ブレンド）」である場合の芳香剤付与縫製処理の流れを示すフローチャートである。
【符号の説明】
【０１４０】
１    ミシン
１５    液晶ディスプレイ
２０    上糸
２６    タッチパネル
２７    センサ
３４    刺繍枠
５０    調香器
５１    ヘッド側管路
５２    吐出ヘッド
５３    カートリッジ
５４    カートリッジホルダ
５５    吐出ヘッドホルダ
５６    調合タンク
５８    カートリッジ側管路
６１    ＣＰＵ
６２    ＲＯＭ
６３    ＲＡＭ
６４    ＥＥＰＲＯＭ
９１，９２    駆動回路
９６    カートリッジ側管路開閉用電磁弁
９７    ヘッド側管路開閉用電磁弁
１００    加工布
１８０    模様縫製データ
２１１    刺繍模様
５００，５５０，６００    テーブル
【図１】
2008272037.tif 000003
【図２】
2008272037.tif 000004
【図３】
2008272037.tif 000005
【図４】
2008272037.tif 000006
【図５】
2008272037.tif 000007
【図６】
2008272037.tif 000008
【図７】
2008272037.tif 000009
【図８】
2008272037.tif 000010
【図９】
2008272037.tif 000011
【図１０】
2008272037.tif 000012
【図１１】
2008272037.tif 000013
【図１２】
2008272037.tif 000014
【図１３】
2008272037.tif 000015
【図１４】
2008272037.tif 000016
【図１５】
2008272037.tif 000017
【図１６】
2008272037.tif 000018
【図１７】
2008272037.tif 000019
【図１８】
2008272037.tif 000020
【図１９】
2008272037.tif 000021
【図２０】
2008272037.tif 000022
【図２１】
2008272037.tif 000023
【図２２】
2008272037.tif 000024
【図２３】
2008272037.tif 000025
【図２４】
2008272037.tif 000026
【図２５】
2008272037.tif 000027